(57)【要約】  本開示は、通信装置であって、動作中、アクセスポイント（ＡＰ）によって通信装置に割り当てられた第１のチャネルにおいて、デューティサイクルにおけるオン持続時間の間、ウェイクアップ無線（ＷＵＲ）フレームを受信し、第２のチャネルにおいてＷＵＲビーコンフレームを受信する受信機であって、ＷＵＲビーコンフレームの送信は、ターゲットＷＵＲビーコン送信時刻（ＴＷＢＴＴ）においてスケジューリングされている、受信機と、動作中、デューティサイクルを動作させるプロセッサと、を備えており、ＴＷＢＴＴから、定められた時間の間、ＷＵＲフレームは、ＡＰから第１のチャネルにおいて送信されない、通信装置を提供する。
2021535639.tif 000002
【特許請求の範囲】
【請求項１】
通信装置であって、
動作中、アクセスポイント（ＡＰ）によって前記通信装置に割り当てられた第１のチャネルにおいて、デューティサイクルにおけるオン持続時間の間、ウェイクアップ無線（ＷＵＲ）フレームを受信し、第２のチャネルにおいてＷＵＲビーコンフレームを受信する受信機であって、前記ＷＵＲビーコンフレームの送信は、ターゲットＷＵＲビーコン送信時刻（ＴＷＢＴＴ）においてスケジューリングされている、受信機と、
動作中、前記デューティサイクルを動作させるプロセッサと、
を備えており、
前記ＴＷＢＴＴから、定められた時間の間、ＷＵＲフレームは、前記ＡＰから前記第１のチャネルにおいて送信されない、
通信装置。
【請求項２】
前記オン持続時間の期間は、前記デューティサイクルのデューティサイクル期間より短く、
前記オン持続時間の期間は、前記ＴＷＢＴＴと重ならない、
請求項１に記載の通信装置。
【請求項３】
前記オン持続時間の期間は、前記デューティサイクルのデューティサイクル期間に等しく、
前記オン持続時間の期間は、前記ＴＷＢＴＴと重なる、
請求項１に記載の通信装置。
【請求項４】
前記受信機は、動作中、前記ＴＷＢＴＴから、前記定められた時間の間、前記第１のチャネルにおいてＷＵＲフレームを受信しない、
請求項１に記載の通信装置。
【請求項５】
前記受信機は、動作中、前記ＴＷＢＴＴから、前記定められた時間以外の時間の間に、前記第１のチャネルにおいて前記ＷＵＲフレームを受信する、
請求項１に記載の通信装置。
【請求項６】
前記受信機は、動作中、前記ＴＷＢＴＴから、前記定められた時間の間に、前記第２のチャネルにおいて前記ＷＵＲビーコンフレームを受信する、
請求項１に記載の通信装置。
【請求項７】
前記受信機は、動作中、前記ＷＵＲビーコンフレームの情報に基づいて前記ＷＵＲフレームを受信する、
請求項６に記載の通信装置。
【請求項８】
前記通信装置は、動作中、前記通信装置がアウェイク状態とドーズ状態との間で交互に切り替わるように、前記ＡＰとのネゴシエーション状態下にあり、
前記通信装置は、１ミリワット未満の電力消費量でＷＵＲ物理層プロトコルデータユニット（ＰＰＤＵ）を受信する能力を有する、
請求項１に記載の通信装置。
【請求項９】
前記デューティサイクルは、２つの連続するＴＷＢＴＴの間の間隔であるＷＵＲビーコン期間に等しいように調整される、
請求項１に記載の通信装置。
【請求項１０】
前記デューティサイクルは、２つの連続するＴＷＢＴＴの間の間隔であるＷＵＲビーコン期間の整数倍に等しいように調整される、
請求項１に記載の通信装置。
【請求項１１】
通信装置によって実行される通信方法であって、
アクセスポイント（ＡＰ）によって前記通信装置に割り当てられた第１のチャネルにおいて、デューティサイクルにおけるオン持続時間の間、ウェイクアップ無線（ＷＵＲ）フレームを受信し、第２のチャネルにおいてＷＵＲビーコンフレームを受信することであって、前記ＷＵＲビーコンフレームの送信は、ターゲットＷＵＲビーコン送信時刻（ＴＷＢＴＴ）においてスケジューリングされている、受信することと、
前記デューティサイクルを動作させることと、
を含み、
前記ＴＷＢＴＴから、定められた時間の間、ＷＵＲフレームは、前記ＡＰから前記第１のチャネルにおいて送信されない、
通信方法。
【請求項１２】
前記オン持続時間の期間は、前記デューティサイクルのデューティサイクル期間より短く、
前記オン持続時間の期間は、前記ＴＷＢＴＴと重ならない、
請求項１１に記載の通信方法。
【請求項１３】
前記オン持続時間の期間は、前記デューティサイクルのデューティサイクル期間に等しく、
前記オン持続時間の期間は、前記ＴＷＢＴＴと重なる、
請求項１１に記載の通信方法。
【請求項１４】
前記ＴＷＢＴＴから、前記定められた時間の間、前記第１のチャネルにおいてＷＵＲフレームを受信しないこと
を含む、請求項１１に記載の通信方法。
【請求項１５】
前記ＴＷＢＴＴから、前記定められた時間以外の時間の間に、前記第１のチャネルにおいて前記ＷＵＲフレームを受信すること
を含む、請求項１１に記載の通信方法。
【請求項１６】
前記ＴＷＢＴＴから、前記定められた時間の間に、前記第２のチャネルにおいて前記ＷＵＲビーコンフレームを受信すること
を含む、請求項１１に記載の通信方法。
【請求項１７】
前記ＷＵＲビーコンフレームの情報に基づいて前記ＷＵＲフレームを受信すること
を含む、請求項１６に記載の通信方法。
【請求項１８】
前記デューティサイクルは、２つの連続するＴＷＢＴＴの間の間隔であるＷＵＲビーコン期間に等しいように調整される、
請求項１１に記載の通信方法。
【請求項１９】
前記デューティサイクルは、２つの連続するＴＷＢＴＴの間の間隔であるＷＵＲビーコン期間の整数倍に等しいように調整される、
請求項１１に記載の通信方法。
【請求項２０】
通信装置であって、
動作中、アクセスポイント（ＡＰ）によって前記通信装置に割り当てられた第１のチャネルにおいて、オン持続時間の間、ウェイクアップ無線（ＷＵＲ）フレームを受信し、第２のチャネルにおいてＷＵＲビーコンフレームを受信する受信機であって、前記ＷＵＲビーコンフレームの送信は、ターゲットＷＵＲビーコン送信時刻（ＴＷＢＴＴ）においてスケジューリングされている、受信機と、
動作中、前記オン持続時間の期間を制御するプロセッサと、
を備えており、
前記ＴＷＢＴＴから、定められた時間の間、ＷＵＲフレームは、前記ＡＰから前記第１のチャネルにおいて送信されず、
前記オン持続時間の期間は、デューティサイクル期間に等しく、
前記オン持続時間の期間は、前記ＴＷＢＴＴと重なる、
通信装置。
【発明の詳細な説明】
【技術分野】
【０００１】
本開示は、一般に、通信装置および通信方法に関する。
【背景技術】
【０００２】
ＩＥＥＥ（米国電気電子学会：Institute of Electrical and Electronics Engineers）８０２．１１ｂａタスクグループでは、現在、ウェイクアップ無線（ＷＵＲ：wake-up radio）装置の動作に関連する無線通信技術の標準化が進められている。ＷＵＲ装置は、主接続無線（ＰＣＲ：Primary Connectivity Radio）装置に対するコンパニオン無線装置であり、同じ周波数帯域または異なる周波数帯域におけるレガシーＩＥＥＥ  ８０２．１１デバイスと共存する。ＰＣＲは、既存の主流のＩＥＥＥ  ８０２．１１修正（８０２．１１ａ、８０２．１１ｇ、８０２．１１ｎ、または８０２．１１ａｃ）または今後適用可能なさらに別の修正（例えば８０２．１１ａｘ）のいずれかでありうる。ＷＵＲ装置の目的は、有効なウェイクアップパケットを受信したときにＰＣＲ装置をスリープ状態から遷移するようにトリガーすることであり、一方で、ＰＣＲは、主ワイヤレス通信無線装置として使用される。ＰＣＲ装置は、アクティブな通信の間にのみオンにされ、一方で、アイドルリスン期間の間は、ＰＣＲ装置はオフにされ、ＷＵＲ装置のみが動作する。ＷＵＲ装置は、そのアクティブ受信機の電力消費量が１ミリワット未満であることが期待され、これは、ＰＣＲ装置のアクティブ受信機の電力消費量と比較してずっと小さい。ＷＵＲ装置を有するデバイスは、ＷＵＲデバイスと呼ばれることがあり、ＷＵＲモードは、ＷＵＲのみが動作しておりＰＣＲがオフである動作モードを指す。ＷＵＲモードで動作している間、ＷＵＲ受信機（ＷＵＲｘ）は常にオンであることができ、または、ＷＵＲｘはデューティサイクルモードで動作することもでき、デューティサイクルモードでは、ＷＵＲｘは、デューティサイクル型であり、デューティサイクルのアウェイク期間の間のみオンにされる。現在、８０２．１１ｂａタスクグループは、ＷＵＲ送信の効率をさらに向上させるために、複数のチャネルでのＷＵＲ送信および周波数分割多元接続（ＦＤＭＡ：Frequency Division Multiple Access）技術を検討している。
【０００３】
ＩＥＥＥ  ８０２．１１ｂａ修正は、通信デバイスが通常バッテリによって給電され、適度に低い遅延を維持しながらバッテリ寿命を延ばすことが極めて望ましい用途およびＩｏＴ（Internet-of-Things）のユースケースを主たる対象としている。多数のＩｏＴデバイスが、１つのアクセスポイント（ＡＰ：Access Point）によって処理される必要があるとき、複数のチャネルでのＷＵＲ送信およびＦＤＭＡ送信は、利用可能な周波数リソースをより効率的に使用することによって、複数のデバイスを迅速にウェイクアップさせる能力を著しく向上させるのに役立ちうる。一方で、デューティサイクルモードでＷＵＲデバイスを動作させることは、省電力の観点から有益であり、したがって、ＷＵＲデバイスがデューティサイクルモードで動作しているときにＦＤＭＡ送信を用いる能力は極めて望ましい。
【０００４】
複数のチャネルでのＷＵＲ送信およびＦＤＭＡ  ＷＵＲ送信は、ＷＵＲ信号の送信効率を向上させるための効果的な方法である。ＦＤＭＡ  ＷＵＲ送信は、デューティサイクルモードと一緒に用いられるとき、ＷＵＲ非ＡＰデバイスのバッテリ電力を節約するのに役立つ。しかしながら、ＦＤＭＡ  ＷＵＲ送信をデューティサイクルモードと一緒に用いるとき、実用的に実施するためには対処する必要があるいくつかの課題が存在する。
【先行技術文献】
【非特許文献】
【０００５】
【非特許文献１】IEEE Std 802.11-2016
【非特許文献２】IEEE 802.11-17/0575r8, Specification Framework for TGba, November 2017
【非特許文献３】IEEE 802.11-17/1625r1, Efficient FDMA Transmission Schemes for WUR WLAN
【非特許文献４】IEEE 802.11-18/1121r3, Spec text clarification for FDMA
【発明の概要】
【０００６】
本開示の非限定的かつ例示的な一実施形態は、デューティサイクルモードで動作するＷＵＲ  ＳＴＡへのＷＵＲ信号のＦＤＭＡ送信を実用的に実施する手段を提供することを容易にする。ＷＵＲデバイスおよびＷＵＲ信号の具体的な例が示されているが、本開示は、無線デバイスが複数の周波数チャネルにおいてデューティサイクルモードで動作する他の無線システムにも等しく適用されることが容易に理解されるであろう。
【０００７】
概括的な一態様において、本明細書に開示されている技術は、通信装置であって、動作中、アクセスポイント（ＡＰ）によって通信装置に割り当てられた第１のチャネルにおいて、デューティサイクルにおけるオン持続時間の間、ウェイクアップ無線（ＷＵＲ）フレームを受信し、第２のチャネルにおいてＷＵＲビーコンフレームを受信する受信機であって、ＷＵＲビーコンフレームの送信は、ターゲットＷＵＲビーコン送信時刻（ＴＷＢＴＴ：target WUR beacon transmission time）においてスケジューリングされている、受信機と、動作中、デューティサイクルを動作させるプロセッサと、を備えており、ＴＷＢＴＴから、定められた時間の間、ＷＵＲフレームは、ＡＰから第１のチャネルにおいて送信されない、通信装置を提供する。
【０００８】
なお、一般的な実施形態または特定の実施形態は、システム、方法、集積回路、コンピュータプログラム、記憶媒体、またはこれらの任意の選択的な組み合わせとして、実施できることに留意されたい。
【０００９】
本開示に記載されている通信装置および通信方法は、デューティサイクルモードで動作するＷＵＲ  ＳＴＡへのＷＵＲ信号のＦＤＭＡ送信を実用的に実施する手段を提供する。ＷＵＲデバイスおよびＷＵＲ信号の具体的な例が示されているが、本開示は、無線デバイスが複数の周波数チャネルにおいてデューティサイクルモードで動作する他の無線システムにも等しく適用されることが容易に理解されるであろう。
【００１０】
開示されている実施形態のさらなる恩恵および利点は、本明細書および図面から明らかになるであろう。これらの恩恵および／または利点は、本明細書および図面のさまざまな実施形態および特徴によって個別に得ることができる。ただし、このような恩恵および／または利点のうちの１つ以上を得るために、これらの特徴すべてを設ける必要はない。
【図面の簡単な説明】
【００１１】
【図１】レガシー８０２．１１デバイスおよびＷＵＲ対応デバイスの混合を含む例示的な異種８０２．１１無線ネットワークを示す図。
【図２】８０２．１１ｂａタスクグループにおいて検討されているＷＵＲ  ＰＨＹプロトコルデータユニット（ＰＰＤＵ）のフォーマットを示す図。
【図３】２つの可能なＷＵＲ  ＦＤＭＡ送信方式を示す図。
【図４】ＷＵＲデューティサイクル動作を示す図。
【図５】ＷＵＲモードセットアップネゴシエーションに関わるフレーム交換シーケンスを示す図。
【図６】第１の実施形態に係る、無線ネットワークの動作に使用されるさまざまなパラメータを通知するためにＡＰによって使用されるＷＵＲ動作要素を示す図。
【図７】第１の実施形態に係る、ＡＰとアソシエーションされたＷＵＲ  ＳＴＡとの間で、ＷＵＲ動作に関連するパラメータをネゴシエートするために使用されるＷＵＲモード要素を示す図。
【図８】第１の実施形態に係る、ＷＵＲ  ＡＰおよびＷＵＲ  ＳＴＡのさまざまな能力を示すために使用されるＷＵＲ能力要素を示す図。
【図９】第１の実施形態に係る、複数のＷＵＲチャネルが定義されているときの、スケジューリングされたブロードキャストＷＵＲフレームの送信についての例示的な方式を示す図。
【図１０】第１の実施形態に係る、ＷＵＲデューティサイクル動作についての方式を示す図。
【図１１Ａ】第１の実施形態に係る、ＷＵＲデューティサイクル動作中のＷＵＲチャネル切替えを示す図。
【図１１Ｂ】第１の実施形態に係る、ＷＵＲ  ＡＰとＷＵＲデューティサイクル動作で動作するＷＵＲ  ＳＴＡとの間の例示的なフレーム送信シーケンスを示す図。
【図１２】第２の実施形態に係る、ＷＵＲデューティサイクル動作についての代替方式を示す図。
【図１３】第２の実施形態に係る、ＷＵＲ  ＡＰとＷＵＲデューティサイクル動作で動作するＷＵＲ  ＳＴＡとの間の例示的なフレーム送信シーケンスを示す図。
【図１４】第３の実施形態に係る、ＷＵＲモードセットアップネゴシエーションに関わるフレーム交換シーケンスを示す図。
【図１５】第３の実施形態に係る、ＷＵＲデューティサイクル動作についての代替方式を示す図。
【図１６】第３の実施形態に係る、ＷＵＲ  ＡＰとＷＵＲデューティサイクル動作で動作するＷＵＲ  ＳＴＡとの間の例示的なフレーム送信シーケンスを示す図。
【図１７】第３の実施形態に係る、ＷＵＲデューティサイクル動作のさらに別の代替方式を示す図。
【図１８】第４の実施形態に係る、ＷＵＲモードセットアップネゴシエーションに関わるフレーム交換シーケンスと、ＷＵＲモードティアダウンアクションフレームのフレームフォーマットと、を示す図。
【図１９】開示する方式を実施する例示的なＡＰの簡略化されたブロック図。
【図２０】開示する方式を実施する例示的なＡＰの詳細なブロック図。
【図２１】開示する方式を実施する例示的なＷＵＲ  ＳＴＡの簡略化されたブロック図。
【図２２】開示する方式を実施する例示的なＷＵＲ  ＳＴＡの詳細なブロック図。
【発明を実施するための形態】
【００１２】
本開示は、以下において説明される図および実施形態を利用してより深く理解することができる。本明細書に記載されている実施形態は、本質的に単なる例示であり、本開示の可能な用途および使用法のうちの一部を説明するために用いられており、本明細書に明示的に記載されていない代替実施形態に関して本開示を限定するように解釈されるべきではない。
【００１３】
図１は、本開示を適用することができる無線通信ネットワーク１００の例を示している。無線通信は、ＩＥＥＥ  ８０２．１１などの一般的な無線標準規格に基づくことができる。無線通信ネットワーク１００は、アクセスポイント（ＡＰ）１１０と、５つのステーション（ＳＴＡ：station）１２０，１３０，１４０，１５０，および１６０と、を含むことができる。８０２．１１の用語では、ＳＴＡは、ＡＰおよび非ＡＰデバイスの両方を指しうるが、本開示では、ＳＴＡは、非ＡＰデバイスのみを指す。ＡＰ  １１０は、主接続無線（ＰＣＲ）装置（以下では単に「ＰＣＲ」と称されることがある）１１２を備え、ＰＣＲ装置１１２は、８０２．１１波形（例えば、直交周波数分割多重（ＯＦＤＭ：Orthogonal Frequency Division Multiplexing））の無線信号を送信および受信することができ、さらに、ウェイクアップ無線（ＷＵＲ）波形（例えば、オンオフ変調（ＯＯＫ：On-Off Keying））の無線信号を送信することができる。ＳＴＡ  １２０は、８０２．１１信号を送信および受信することができるＰＣＲ  １２２のみを備えるレガシー８０２．１１デバイスであるのに対し、ＳＴＡ  １３０，１４０，１５０，１６０は、ＷＵＲ対応ＳＴＡであり、それぞれ、ＰＣＲ  １３２およびウェイクアップ無線受信機（ＷＵＲｘ）装置（以下では単に「ＷＵＲｘ」と称されることがある）１３４、ＰＣＲ  １４２およびＷＵＲｘ  １４４、ＰＣＲ  １５２およびＷＵＲｘ  １５４、ＰＣＲ  １６２およびＷＵＲｘ  １６４を備える。ＳＴＡ  １３０，１４０，１５０，および１６０は、８０２．１１信号を送信および受信することができ、さらに、ＷＵＲ信号を受信することができる。ＰＣＲ  １３２，１４２，１５２，および１６２は、アクティブな通信（ＰＣＲモード）の間のみオンにされてよく、一方で、アイドルリスン期間の間は、ＰＣＲは、オフにされてよく、ＷＵＲｘ  １３４，１４４，１５４，および１６４のみが動作できる（ＷＵＲモード）。ＳＴＡがＡＰ  １１０にすでにアソシエーションされている場合、ＡＰ  １１０は、ＷＵＲモードで動作しているＳＴＡと通信する必要があるとき、それぞれのＰＣＲをオンにしかつＷＵＲｘをオフに切り替えることによってＰＣＲモードに遷移するようにＳＴＡに指示するために、最初にウェイクアップ信号を送信することができる。次いで、ＡＰおよびＳＴＡは、ＰＣＲを通じて通信を実行することができる。通信が終了すると、ＳＴＡは、ＰＣＲをオフに切り替えかつＷＵＲｘをオンにすることによってＷＵＲモードに戻ることができる。ＡＰ  １１０がＷＵＲ  ＳＴＡのＷＵＲｘにウェイクアップ信号を送信する無線チャネルは、ＷＵＲチャネルと呼ばれることがある。１つのＷＵＲチャネルを使用してすべてのＷＵＲ  ＳＴＡにウェイクアップ信号を送信することができるが、ウェイクアップ信号の送信をより効率的にするために、ＡＰ  １１０は、ＷＵＲ  ＳＴＡに、異なるＷＵＲチャネルを割り当てることもできる。例えば、ＷＵＲ  ＳＴＡ  １３０および１４０は、ＷＵＲチャネルＣＨ１に割り当てられるのに対し、ＷＵＲ  ＳＴＡ  １５０および１６０は、ＷＵＲチャネルＣＨ２に割り当てられる。
【００１４】
図２は、ＩＥＥＥ  ８０２．１１ｂａタスクグループにおいて検討されているウェイクアップ信号のフォーマットを示している。ウェイクアップ信号は、ＷＵＲ  ＰＨＹプロトコルデータユニット（ＰＰＤＵ：PHY Protocol Data Unit）２００として表されてよい。ＷＵＲ  ＰＰＤＵ  ２００は、２つの異なる部分から構成される。第１の部分は、２０ＭＨｚレガシー（非高スループット（ＨＴ）としても知られている）８０２．１１プリアンブル２１０とＢＰＳＫマーク（BPSK Mark）と呼ばれる１つの追加のＯＦＤＭシンボル２１８とから構成され、これらは、２０ＭＨｚチャネル全体を通じて８０２．１１  ＯＦＤＭ波形で送信される。第２の部分はウェイクアップ信号２２０であり、ウェイクアップ信号２２０は、ウェイクアップパケット（ＷＵＰ）ペイロードと称されることもあり、２０ＭＨｚチャネル内の狭いサブチャネル（例えば４ＭＨｚサブチャネル）でＷＵＲ  ＯＯＫ波形で送信される。図２には１つのみのＷＵＰペイロード２２０が示されているが、２つ以上の（例えば３つの）ＷＵＰペイロードを、２０ＭＨｚチャネル内の重ならない異なるサブチャネルで送信することも可能である。
【００１５】
レガシー８０２．１１プリアンブル２１０は、さらに、ＷＵＲ信号を理解しないレガシー８０２．１１デバイスとの共存を提供する。プリアンブル２１０は、非ＨＴショートトレーニング（Short Training）フィールド（Ｌ−ＳＴＦ）２１２と、非ＨＴロングトレーニング（Long Training）フィールド（Ｌ−ＬＴＦ）２１４と、非ＨＴ信号（ＳＩＧＮＡＬ）フィールド（Ｌ−ＳＩＧ）２１６と、を含む。Ｌ−ＳＩＧ  ２１６は、ＷＵＰペイロード２２０の長さに関する情報を運び、これにより、レガシー８０２．１１デバイスは、正しい持続時間となるように自身の送信を延期することが可能になる。８０２．１１ｎデバイスがＷＵＲ  ＰＰＤＵ  ２００を８０２．１１ｎパケットとして誤って復号することを防止するために、二位相偏移変調（ＢＰＳＫ：Binary Phase Shift Keying）で変調された持続時間４マイクロ秒のＢＰＳＫマーク２１８が、Ｌ−ＳＩＧ  ２１６の直後に送信される。
【００１６】
ＷＵＰペイロード２２０は、実際のウェイクアップ信号を運び、ＷＵＲプリアンブル２２２およびＷＵＲフレーム２３０を含む。ＷＵＲプリアンブル２２２はＷＵＲ同期（WUR-Sync）と称されることもあり、ＷＵＲフレーム２３０はＷＵＲデータ（WUR-Data）と称されることもある。ＷＵＲプリアンブル２２２は、自動利得制御（ＡＧＣ）、タイミング同期、パケット検出などに使用されるのに対し、ＷＵＲフレーム２３０は、制御情報を運ぶ。ＷＵＲフレーム２３０は、ＭＡＣヘッダ２４０、フレームチェックシーケンス（ＦＣＳ）２５２、およびオプションのフレームボディ２５０など、さまざまなサブフィールドからさらに構成されてよい。ＭＡＣヘッダ２４０は、フレームタイプ（Type）２６２、フレームボディ存在（Frame Body presence）ビット２６４、長さ／その他（Length/Misc.）フィールド２６６などを指定するフレーム制御（Frame control）フィールド２４２と、送信機アドレスまたは受信機アドレスのいずれか一方またはこれら両方を運ぶことができるアドレス（Address）フィールド２４４と、ＴＤ制御（TD Control）フィールド２４６と、からさらに構成されてよい。ＴＤ制御フィールド２４６は、フレームタイプに応じて異なる制御情報を運ぶために使用されてよい。例えば、ＷＵＲビーコンフレームでは、ＴＤ制御フィールド２４６は、タイムスタンプフィールドを運ぶことができるのに対し、ユニキャストＷＵＲフレームでは、ＴＤ制御フィールド２４６は、パケット番号などを運ぶことができる。ＷＵＲフレーム２３０は、６２．５ｋｂ／ｓという低データレート（ＬＤＲ）または２５０ｋｂ／ｓという高データレート（ＨＤＲ）のいずれかを用いて送信されてよい。ＷＵＲフレーム２３０に用いられるデータレートは、ＷＵＲ同期フィールド２２２内の事前定義された系列によって示される。マンチェスタベースの符号（Manchester-based code）が両方のＷＵＲデータレートに適用され、マルチキャリアオンオフ変調（ＭＣ−ＯＯＫ：Multicarrier On-Off Keying）が両方のＷＵＲデータレートの変調に用いられる。
【００１７】
図１に示されているように、ウェイクアップ信号の送信効率を向上させるために、無線ネットワークにおいて２つ以上のＷＵＲチャネルを定義することが可能である。複数のＷＵＲチャネルが、ウェイクアップ信号の送信に利用可能であるとき、ウェイクアップ信号を効率的に送信するために、周波数分割多元接続（ＦＤＭＡ）が利用されてよい。ＷＵＲ  ＦＤＭＡ送信を実現するための方法が図３に示されており、この方法では、ＷＵＲ信号を同時に運ぶために、複数の２０ＭＨｚ  ８０２．１１チャネルが、ＢＳＳにおいて使用されてよい。２０ＭＨｚ  ８０２．１１チャネルの中に１つのＷＵＲチャネルが定義されるので、この２０ＭＨｚチャネルの狭い部分のみが、ウェイクアップ信号の送信に実際に使用される場合であっても、この２０ＭＨｚチャネル自体が、ＷＵＲチャネルと称されることがある。複数の２０ＭＨｚ  ８０２．１１チャネルが、周波数領域において隣接しているとき、複数のウェイクアップ信号を同時に送信することができる。隣接していない８０＋８０ＭＨｚチャネルの特殊な場合にも、８０＋８０ＭＨｚチャネル内の隣接する各８０ＨＭｚ内で複数のウェイクアップ信号を同時に送信することができる。図３には、ＦＤＭＡ  ＷＵＲ送信の２つの例が示されている。ＷＵＲ  ＰＰＤＵ  ３００は、ＦＤＭＡ  ＷＵＲ送信方式を使用することによって４０ＭＨｚを通じて２つのウェイクアップ信号を同時に運ぶＷＵＲ  ＰＰＤＵの例である。２つのＷＵＲ  ＳＴＡ（ＷＵＲ  ＳＴＡ１およびＷＵＲ  ＳＴＡ２）は、それぞれ、隣接するＷＵＲチャネル３２０およびＷＵＲチャネル３２２に割り当てられている。ＷＵＲ  ＰＰＤＵ  ３００のレガシー８０２．１１プリアンブルおよびＢＰＳＫマークシンボルが、各２０ＭＨｚチャネルにおいて複製されており、８０２．１１ｎおよび８０２．１１ａｃにおける非ＨＴ複製ＰＰＤＵフォーマットと同様に、４０ＭＨｚ全体を通じて送信される。ウェイクアップ信号３３０は、ＷＵＲ  ＳＴＡ１にアドレス指定されておりＷＵＲチャネル３２０で送信されるのに対し、ウェイクアップ信号３３２は、ＷＵＲ  ＳＴＡ２にアドレス指定されておりＷＵＲチャネル３２２で送信される。
【００１８】
同様に、ＷＵＲ  ＰＰＤＵ  ３４０は、ＦＤＭＡ  ＷＵＲ送信方式を使用することによって８０ＭＨｚを通じて４つのウェイクアップ信号を同時に運ぶＷＵＲ  ＰＰＤＵの例である。４つのＷＵＲ  ＳＴＡ（ＷＵＲ  ＳＴＡ１、ＷＵＲ  ＳＴＡ２、ＷＵＲ  ＳＴＡ３、およびＷＵＲ  ＳＴＡ４）は、それぞれ、隣接するＷＵＲチャネル３５０、ＷＵＲチャネル３５２、ＷＵＲチャネル３５４、およびＷＵＲチャネル３５６に割り当てられている。ＷＵＲ  ＰＰＤＵ  ３４０のレガシー８０２．１１プリアンブルおよびＢＰＳＫマークシンボルが、各２０ＭＨｚチャネルにおいて複製されており、８０ＭＨｚ全体を通じて送信される。ウェイクアップ信号３６０は、ＷＵＲ  ＳＴＡ１にアドレス指定されておりＷＵＲチャネル３５０で送信され、ウェイクアップ信号３６２は、ＷＵＲ  ＳＴＡ２にアドレス指定されておりＷＵＲチャネル３５２で送信され、ウェイクアップ信号３６４は、ＷＵＲ  ＳＴＡ３にアドレス指定されておりＷＵＲチャネル３５４で送信され、ウェイクアップ信号３６６は、ＷＵＲ  ＳＴＡ４にアドレス指定されておりＷＵＲチャネル３５６で送信される。ＷＵＲ  ＳＴＡの能力に関しては、２０ＭＨｚチャネルあたり１つのみのＷＵＲチャネルが割り当てられているので、ＷＵＲ  ＳＴＡは、広帯域ＦＤＭＡ方式で送信されるウェイクアップ信号を受信することができる特別なハードウェア能力を有する必要がない。
【００１９】
図４は、ＷＵＲデューティサイクル動作４００に関わるパラメータを示している。ＷＵＲ  ＳＴＡがＷＵＲモードで動作しているとき（すなわち、ＷＵＲ  ＳＴＡのＰＣＲがドーズモード（doze mode）にあるとき）、ＷＵＲ受信機（ＷＵＲｘ）は、常にアウェイク状態にある（すなわち、常にオンである）ことができ、または、ＷＵＲｘは、デューティサイクルモードで動作することもでき、デューティサイクルモードでは、ＷＵＲｘは、デューティサイクル型であり、デューティサイクルのアウェイク期間の間のみオンにされる。これは、ＷＵＲデューティサイクル動作と称されることがある。ＷＵＲデューティサイクル動作４００は、次のパラメータ、すなわち、開始点（Starting Point）４１０、オン持続時間（On Duration）４３０、デューティサイクル期間（Duty Cycle Period）４２０、およびＷＵＲチャネル（WUR channel）によって定められる。開始点４１０は、ＷＵＲデューティサイクルの開始のタイムスタンプを示す。オン持続時間４３０は、デューティサイクルモードで動作しているＷＵＲ  ＳＴＡのＷＵＲｘがＷＵＲｘアウェイク状態にある持続時間である。オン持続時間４３０は、アウェイク期間、アクティブ期間などの別の名前によっても知られている。デューティサイクル期間４２０は、デューティサイクルの期間を示し、オン持続時間が発生する頻度を定める。ＷＵＲデューティサイクル動作では、オン持続時間４３０は、各デューティサイクル期間４２０の開始時に発生し、デューティサイクルスケジュールとしても知られている。オン持続時間４３０とデューティサイクル期間４２０との比は、一般にデューティサイクル比として知られており、省電力方式の積極性を定める。１未満のデューティサイクル比のデューティサイクル動作で動作しているＷＵＲ  ＳＴＡは、デューティサイクル型ＷＵＲ  ＳＴＡと称されることがある。デューティサイクル比が１に等しい（すなわち、オン持続時間４３０の長さがデューティサイクル期間４２０に等しい）特殊な場合には、ＷＵＲｘは、ＷＵＲモード中、常にアウェイク状態にあり、ドーズモードに移行することはなく、このようなＷＵＲ  ＳＴＡは、本文書において以下では単に常時オンＷＵＲ  ＳＴＡ（Always On WUR STA）と呼ばれる。ＷＵＲチャネルは、ＷＵＲ  ＳＴＡにアドレス指定されたウェイクアップ信号を運ぶために使用される２０ＭＨｚ  ８０２．１１チャネルを指す。
【００２０】
以下のセクションでは、本開示を詳細に説明するために、いくつかの例示的な実施形態が詳細に説明される。以下のセクションでは、本開示に係る、デューティサイクルモードで動作するＷＵＲ  ＳＴＡへのＷＵＲ信号のＦＤＭＡ送信を実用的に実施するためのさまざまな実施形態が詳細に説明される。
【００２１】
［第１の実施形態］
図５は、ＷＵＲサービス（またはＷＵＲモード）をセットアップするための、ＷＵＲ  ＡＰ（図１におけるＡＰ  １１０であってよい）とＷＵＲ  ＳＴＡ（ＷＵＲ  ＳＴＡ  １３０，１４０，１５０，または１６０のいずれかであってよい）との間のフレーム交換を示している。最初、ＷＵＲ  ＳＴＡのＷＵＲｘがオフであり、ＷＵＲ  ＳＴＡのＰＣＲのみが動作できる。ＷＵＲ  ＡＰが、例えば、ビーコンフレームやプローブ応答フレームなどにＷＵＲ動作（WUR Operation）要素６００を含めることによって、ＷＵＲ動作に使用される共通のパラメータを通知する。図６は、ＡＰが、ＷＵＲ動作に使用される共通のパラメータを通知するために、ビーコンフレームやプローブ応答フレームなどに含めることができるＷＵＲ動作要素６００を示している。最小ウェイクアップ持続時間（Minimum Wake-up Duration）フィールド６１０は、デューティサイクル動作にあるＷＵＲ  ＳＴＡが、オン持続時間４３０の間、ＷＵＲｘアウェイク状態のままでなければならない最小持続時間を示す。デューティサイクル期間単位（Duty Cycle Period Units）フィールド６２０は、デューティサイクル期間４２０の基本単位を示す。ＷＵＲ動作クラス（WUR Operating Class）フィールド６３０およびＷＵＲチャネル（WUR Channels）フィールド６４０は一緒になって、ＷＵＲビーコンフレームの送信に使用されてＷＵＲプライマリチャネル（WUR Primary channel）として知られているＷＵＲチャネルを示す。ＷＵＲビーコン期間（WUR Beacon Period）フィールド６５０は、ＷＵＲプライマリチャネルで送信される２つの連続するＷＵＲビーコンフレームの間の間隔を示す。ターゲットウェイクアップ無線ビーコン送信時刻（ＴＷＢＴＴ）のオフセット（Offset of Target Wake-up Radio Beacon Transmission Time (TWBTT)）フィールド６５５は、ＴＳＦ（時刻同期機能）（Time Synchronization Function）０からの最初のＴＷＢＴＴの時間オフセットを示す。ターゲットウェイクアップ無線ビーコン送信時刻（ＴＷＢＴＴ）のオフセットフィールド６５５は、ＷＵＲビーコン期間フィールド６５０と一緒になって、ＷＵＲ  ＳＴＡが、一連のＴＷＢＴＴ、したがって、ＷＵＲビーコンの次の送信時刻を計算することを可能にする。ＷＵＲビーコンフレームを送信するために使用されるＷＵＲチャネルは、ＷＵＲビーコンチャネルまたはＷＵＲブロードキャストチャネルと称されることもある。ＷＵＲ  ＳＴＡは、図７におけるＷＵＲモード（WUR Mode）要素７００（アクション（Action）フィールド７１０がＷＵＲモード開始要求（Enter WUR Mode Request）に設定されている）を運ぶＷＵＲモードセットアップ（WUR Mode Setup）フレーム５１０をＷＵＲ  ＡＰに送信することによって、ＷＵＲサービスセットアップのネゴシエーションを開始する。図７は、ＡＰとアソシエーションされたＷＵＲ  ＳＴＡとの間でＷＵＲサービスに関連するパラメータをネゴシエートするために使用されるＷＵＲモード要素７００を示している。ＷＵＲ  ＳＴＡは、ＷＵＲモード要素７００を使用して、ＡＰによるＷＵＲサービスのセットアップを要求し、また、オン持続時間フィールド７７０およびデューティサイクル期間フィールド７８０を適切な値に設定することによって、ＷＵＲ動作に関連するパラメータ（好適なオン持続時間４３０や望ましいデューティサイクル期間４２０など）をネゴシエートする。ＷＵＲ  ＳＴＡは、ＷＵＲモードの間は自身のＷＵＲｘが常にアウェイク状態にありドーズモードに移行しない（すなわち、ＷＵＲ  ＳＴＡが常時オンＷＵＲ  ＳＴＡとして動作する予定である）意図を伝えるために、オン持続時間７７０をデューティサイクル期間７８０に等しいかまたはそれより大きい長さに設定することもできる。ＡＰは、ＷＵＲ動作をセットアップする要求を承認する場合、図７におけるＷＵＲモード要素７００（アクションフィールド７１０がＷＵＲモード開始応答（Enter WUR Mode Response）に設定されている）を運ぶＷＵＲモードセットアップフレーム５２０を送信する。ＡＰは、ＷＵＲモード応答ステータス（WUR Mode Response Status）フィールド７２０を、表７２２にリストされている受理（Accept）を示す値に設定する。加えて、ＷＵＲ  ＡＰは、ＷＵＲ  ＳＴＡに固有のＷＵＲ動作パラメータを通知するために、ＷＵＲモード要素７００の中のＷＵＲパラメータ（WUR Parameters）フィールド７３０を使用する。ＷＵＲ  ＩＤ（WUR ID）フィールドは、ＢＳＳ内でＷＵＲ  ＳＴＡを一意に識別するＷＵＲ識別子を示す。ＷＵＲチャネルオフセット（WUR Channel Offset）フィールド７４０は、ＷＵＲ  ＳＴＡにアドレス指定されたウェイクアップ信号を運ぶために使用される２０ＭＨｚ  ８０２．１１チャネルを示す。ＷＵＲデューティサイクルの開始時刻（Starting Time of the WUR Duty Cycle）フィールド７５０は、デューティサイクル動作の開始点４１０のタイムスタンプを示す。ＩＥＥＥ  ８０２．１１システムでは、システムのタイムスタンプを追跡するために８オクテットが使用されるが、ＷＵＲデューティサイクルの開始時刻フィールド７５０では、効率のために７オクテット以下が使用されることがあり、場合によっては、フィールド７５０でシグナリングされる値と開始点４１０の実際のタイムスタンプとが異なることがあり、後のセクションで説明されるように、開始点４１０の実際のタイムスタンプを取得するためのさらなる処理が必要とされる。
【００２２】
図８は、ＷＵＲに関連する能力を示すために使用されるＷＵＲ能力（WUR capabilities）要素８００を示している。ＷＵＲ能力（WUR Capabilities）フィールド８１０は、ＷＵＲ  ＳＴＡのＷＵＲ能力に関連するさまざまなパラメータを運ぶ。ＷＵＲチャネル切替えサポート（WUR Channel Switching Support）フィールド８２０は、ＷＵＲ  ＳＴＡが、別のＷＵＲチャネルで送信されるＷＵＲフレーム（例えば、ＷＵＲプライマリチャネルで送信されるＷＵＲビーコンフレーム）を受信するためにＷＵＲチャネルを切り替えることができるかどうかを示す。この能力は、ＷＵＲ  ＳＴＡをＷＵＲプライマリチャネル以外のＷＵＲチャネルに割り当てることができるかどうかと、ＷＵＲ  ＳＴＡへのＷＵＲ信号を運ぶためにＷＵＲ  ＦＤＭＡ  ＰＰＤＵを使用することができるかどうかと、を、ＷＵＲ  ＡＰに暗黙的に示す。このフィールドを設定していないＷＵＲ  ＳＴＡは、ＷＵＲプライマリチャネルのみに割り当てられうる。デューティサイクルサポート（Duty Cycle support）フィールド８３０は、ＷＵＲ  ＳＴＡがデューティサイクル動作を行うことができるか否かを示すためにＷＵＲ  ＳＴＡによって使用される。
【００２３】
前に述べたように、ＢＳＳ内で複数のＷＵＲチャネルが動作しているときには、ＷＵＲチャネル切替えサポートフィールド８２０を設定しているＷＵＲ  ＳＴＡを、ＷＵＲプライマリチャネル以外のＷＵＲチャネルに割り当てることができる。ＷＵＲ  ＳＴＡは、ＷＵＲｘアウェイク状態で動作している間（例えば、デューティサイクル期間のオン持続時間４３０の間）、ＷＵＲ  ＳＴＡに割り当てられているＷＵＲチャネルのみをリスンしているため、ＷＵＲ  ＳＴＡは、それ以外のＷＵＲチャネルでＡＰによって送信されたブロードキャストＷＵＲフレームを受信することができない。ブロードキャストＷＵＲフレームは、ＢＳＳ内のすべてのＷＵＲ  ＳＴＡによって受信されるように意図されているため、ブロードキャストＷＵＲフレームを受信し損なうことは、ＷＵＲ  ＳＴＡの動作に悪影響を及ぼしうる（時刻同期を失うなど）。図９は、スケジューリングされたブロードキャストＷＵＲフレームをＷＵＲ  ＳＴＡによって受信するという課題を克服するための当業者の解決策として使用することができる送信方式９００を示している。ＢＳＳにおいて２つのＷＵＲチャネル（ＷＵＲ  ＣＨ１  ９１０およびＷＵＲ  ＣＨ２  ９１２）が定義されている。ＷＵＲ  ＣＨ１  ９１０は、ＡＰ  １１０によってＷＵＲプライマリチャネルとして指定され、ＷＵＲ動作要素６００のＷＵＲ動作クラスフィールド６３０およびＷＵＲチャネルフィールド６４０を通じてＢＳＳにおいて通知されるのに対し、ＷＵＲ  ＣＨ２  ９１２は、ＡＰ  １１０とＷＵＲ  ＳＴＡ  １５０との間のＷＵＲモードネゴシエーション５００中にＷＵＲモードセットアップフレーム５２０によって運ばれるＷＵＲモード要素７００の中のＷＵＲチャネルオフセットフィールド７４０を設定することによって、ＷＵＲ  ＳＴＡ（例えば、図１におけるＷＵＲ  ＳＴＡ  １５０）に割り当てられる。ＢＳＳ内のすべてのＷＵＲ  ＳＴＡは、ＡＰによる次のＷＵＲビーコンの予測される送信時刻である次のターゲットＷＵＲビーコン送信時刻（ＴＷＢＴＴ）を認識している。ＷＵＲビーコンフレーム９３０は、ＷＵＲプライマリチャネルＷＵＲ  ＣＨ１  ９１０でのみ送信される。最初、ＷＵＲ  ＳＴＡ  １５０は、自身のＷＵＲｘを、自身に割り当てられているＷＵＲチャネルＷＵＲ  ＣＨ２  ９１２にチューニングしている。２つのＷＵＲチャネルが同じ周波数帯域内であるときには、ほとんどのＷＵＲ  ＳＴＡにおいて、ＷＵＲ  ＣＨ２  ９１２からＷＵＲ  ＣＨ１  ９１０への切替えは、発振器を変更する必要なく、単にＷＵＲｘの周波数シンセサイザをチューニングすればよいことであり、したがって、多くの時間はかからず、ＷＵＲ  ＳＴＡの電力消費量に対する影響は最小限でありうる。しかしながら、２つのＷＵＲチャネルが異なる周波数帯域内であるときには、または、長いロックアップ時間（例えば１００マイクロ秒以上）を必要とする超低電力ＰＬＬシンセサイザを使用する極めて低い能力のＷＵＲ  ＳＴＡの場合には、チャネル切替えマージン（Channel Switch Margin）９５０を無視できないことがある。ＷＵＲ  ＳＴＡ  １５０は、ＷＵＲ  ＣＨ１に切り替える時刻９２０を決定するとき、ＷＵＲビーコンフレーム９３０を受信するのに間に合うように自身のＷＵＲｘがＴＷＢＴＴにおいてＷＵＲ  ＣＨ１にチューニングされることを確実にするために、チャネル切替えマージン９５０を考慮する必要がある。ＷＵＲ  ＳＴＡ  １５０は、時刻９２０（予測されるＴＷＢＴＴの少し前でありチャネル切替えマージン９５０を考慮している）において、自身のＷＵＲｘをＷＵＲプライマリチャネルＷＵＲ  ＣＨ１  ９１０に切り替えてＷＵＲビーコンフレーム９３０を待つことができる。ＷＵＲビーコンフレーム９３０が受信されると、ＷＵＲ  ＳＴＡは、時刻９４０において、自身に割り当てられているＷＵＲチャネルＷＵＲ  ＣＨ２  ９１２に切り替えることができる。予測されるＴＷＢＴＴから特定のタイムアウト期間内にＷＵＲビーコンが受信されない場合にも、ＷＵＲ  ＳＴＡ  １５０は、自身に割り当てられているＷＵＲチャネルに切り替えることができる。ここでもチャネル切替えマージン９５２が適用され、ＷＵＲ  ＳＴＡ  １５０のＷＵＲｘは、時刻９４２においてようやく、ＷＵＲ  ＣＨ２  ９１２でＷＵＲフレームを受信できる状態になる。ＡＰ  １１０は、ＷＵＲビーコンフレームを送信するための無線チャネルを競合する必要があるため、タイムアウト期間は、ＡＰにおいて発生しうるチャネルアクセス遅延を考慮するのに十分に大きいべきである。ＷＵＲ  ＳＴＡのＷＵＲｘがチャネルをＷＵＲプライマリチャネルに切り替えることに起因して、ＷＵＲ  ＳＴＡ  １５０が自身に割り当てられているＷＵＲチャネルでＷＵＲフレームを受信できない最大期間は、チャネル切替えガード時間（ＣＳＧＴ：Channel Switch Guard Time）と称されることがある。ＣＳＧＴは、ＷＵＲ  ＳＴＡが自身に割り当てられているＷＵＲチャネルから離れている時間の上限を与え、ＷＵＲ  ＳＴＡがＷＵＲビーコンを待つためにＷＵＲプライマリチャネルに切り替える時刻から始まり、ＷＵＲ  ＳＴＡがスケジューリングされたＷＵＲフレームを受信したときに、または、タイムアウト期間が満了したときに、自身に割り当てられているＷＵＲチャネルに切り替える時刻で終わる。図９を参照すると、ＣＳＧＴがカバーしている期間は、ＷＵＲ  ＳＴＡ  １５０がＷＵＲプライマリチャネルＷＵＲ  ＣＨ１  ９１０に切り替える時刻９２０から始まり、ＷＵＲ  ＳＴＡ  １５０が自身に割り当てられているＷＵＲチャネルＷＵＲ  ＣＨ２  ９１２に戻るべき最も遅い時刻である時刻９４２で終わり、チャネル切替えマージン９５０および９５２の両方を含む。ＣＳＧＴには、ＷＵＲ  ＳＴＡのハードウェア能力に関連するさまざまなパラメータ（チャネルを切り替えるために必要とされる時間、ＷＵＲ  ＳＴＡのクロックドリフトを補正するために必要とされる時間など）を考慮する必要があるため、ＣＳＧＴは、ＷＵＲ  ＳＴＡごとに大きく変わりうる。また、ＷＵＲ  ＳＴＡのＣＳＧＴの値は、ＷＵＲプライマリチャネルとＷＵＲ  ＳＴＡの割り当てられているＷＵＲチャネルとが同じ周波数帯域にあるか異なる周波数帯域にあるかに応じて変わりうる。ＡＰは、ＣＳＧＴの間はＷＵＲ  ＳＴＡにいかなるＷＵＲフレームも送信しないようにする必要がある。また、現時点では、ＷＵＲ  ＳＴＡが自身の関連するハードウェア能力をＡＰに報告するためのメカニズムは８０２．２２ｂａに存在しない。理解できるよう��、これらの要因に起因して、ＣＳＧＴをどれくらいの長さにするべきかに関して不確実性が存在し、低能力のＷＵＲ  ＳＴＡをサポートするためにＡＰが小さめの値ではなく大きめの値を選択することが予期されうる。ＣＳＧＴは、ＷＵＲ  ＳＴＡが自身に割り当てられているチャネルでＷＵＲフレームを受信できない期間を表すため、これは、ＷＵＲ  ＳＴＡのＷＵＲサービスの中断をもたらす。このことは、常時オンＷＵＲ  ＳＴＡに特に関連する。なぜならば、常時オンＷＵＲ  ＳＴＡは、ＷＵＲモードにある時間全体にわたりＷＵＲｘアウェイク状態で動作するからである（常時オンＷＵＲ  ＳＴＡでは、オン持続時間４３０がデューティサイクル期間４２０に等しいため）。一方、オン持続時間４３０がデューティサイクル期間４２０より短いデューティサイクルモードで動作するＷＵＲ  ＳＴＡは、ＣＳＧＴがオン持続時間４３０外の期間において発生するようにデューティサイクル動作パラメータを調整することによって、このような中断を最小限にすることができる。チャネル切替えに起因してＷＵＲサービスにおいて発生しうるこの中断の結果として、常時オンＷＵＲ  ＳＴＡは、常時オンＷＵＲ  ＳＴＡが、そのＷＵＲ能力要素の中のＷＵＲチャネル切替えサポートフィールド８２０によって示されるようにＷＵＲチャネルの切替えに対応している場合であっても、ＷＵＲプライマリチャネル以外のチャネルに割り当てることができない。しかしながら、このことは、ＷＵＲプライマリチャネルがより混雑する可能性が高いことを意味する。ＷＵＲ  ＳＴＡがデューティサイクル動作をサポートすることがオプションであることを考えると、最悪のケースのシナリオでは、ＢＳＳ内のすべてのＷＵＲ  ＳＴＡが常時オンＷＵＲ  ＳＴＡとして動作する場合、すべてのＷＵＲ  ＳＴＡがＷＵＲプライマリチャネルに割り当てられることがあり、ＡＰは、他の使用率の低いＷＵＲチャネルにＷＵＲシグナリング負荷を分散させることができず、結果として、ＢＳＳ内でＷＵＲ  ＦＤＭＡ  ＰＰＤＵをまったく使用できないことがある。
【００２４】
図１０は、ＷＵＲチャネル切替えに起因する不確実性を低減する提案方法１０００を示しており、この方法は、ＷＵＲ  ＳＴＡが、自身に割り当てられているＷＵＲチャネル以外のＷＵＲチャネルをリスンするために自身のＷＵＲｘを切り替えることが許可される周知の期間を、ＷＵＲ  ＳＴＡのオン持続時間４３０中に定義することによる（ＷＵＲ  ＳＴＡは、ＷＵＲ能力要素８００の中のＷＵＲチャネル切替えサポートフィールド８２０を設定していると仮定している）。これらの期間それぞれは、不在グラント（Absence Grant）１０１０として知られており、各デューティサイクル期間内のオン持続時間４３０の間に１つ以上の不在グラントを設けることができる。各不在グラントの持続時間は、不在持続時間（Absence Duration）として知られており、ＷＵＲ動作要素６００の中の不在持続時間フィールド６６０を使用してＷＵＲ  ＡＰによって通知され、ＷＵＲ  ＡＰにアソシエーションされたすべてのＷＵＲ  ＳＴＡに知らされるものと仮定する。第１の実施形態によれば、１つの不在グラントは各ＴＷＢＴＴにおいて始まり、各ＴＷＢＴＴは、オン持続時間４３０の間に生じ、ＷＵＲビーコン期間６５０の周期で繰り返される。これに代えて、デューティサイクル期間４２０の間に、例えばオン持続時間４３０と重なる最初のＴＷＢＴＴにおいて始まる１つの不在グラントのみを定義することも可能である。デューティサイクル期間は、ＷＵＲ  ＳＴＡ  １５０が制御できる変数であるため、これにより、ＳＴＡは、不在グラントが発生する頻度をある程度制御することができる。不在持続時間６６０は、クロックドリフト、一般的なＷＵＲチャネル切替えマージン、およびＷＵＲビーコン送信についての平均チャネルアクセス遅延を考慮して、ＷＵＲ  ＳＴＡがＷＵＲプライマリチャネルに切り替えてＴＷＢＴＴにおいてＷＵＲビーコンフレーム９３０を受信し、自身に割り当てられているＷＵＲチャネルに切り替えるのに十分な長さであるように、ＷＵＲ  ＡＰによって計算される。不在持続時間６６０の値は、ＢＳＳのライフタイム中は変更されないものと予測されるが、ＷＵＲ  ＡＰが、例えばＷＵＲプライマリチャネルにおけるチャネル状態の変化に基づいて、この値を調整することも可能である。したがって、ＷＵＲ  ＳＴＡは、最も新しい不在持続時間フィールド６６０において取得された値を使用する。これに代えて、不在持続時間を、周知の値（例えばaWURAbsenceDuration）またはＩＥＥＥ  ８０２．１１ｂａ仕様において定義されている管理情報ベース（ＭＩＢ：Management Information Base）値dot11WURAbsenceDurationとすることも可能である。あるいは、不在持続時間のデフォルト値をＩＥＥＥ  ８０２．１１ｂａ仕様によって定義することも可能であるが、デフォルト値は、必要な場合、ＷＵＲ動作要素６００の中の不在持続時間フィールド６６０を使用して異なる値を通知することによって、ＡＰによって置き換えられうる。不在グラントの間に、ＷＵＲ  ＳＴＡは、異なるＷＵＲチャネル（例えばＷＵＲプライマリチャネル）をリスンして、ＴＷＢＴＴにおいてＷＵＲビーコンフレームを受信するために、自身のＷＵＲｘを切り替えることができる。これに代えて、ＷＵＲ  ＳＴＡは、不在グラントの持続時間にわたりＷＵＲド��ズ状態に遷移することを選択することもでき（ＷＵＲ  ＳＴＡはデューティサイクルモードで動作できると仮定している）、または、ＷＵＲ  ＳＴＡは、自身に割り当てられているＷＵＲチャネルにおいて単に引き続きリスンすることを選択することもできる。ＷＵＲ  ＳＴＡは、不在グラントの終了時に、自身に割り当てられているＷＵＲチャネルに戻り、自身に割り当てられているＷＵＲチャネルでＷＵＲフレームを受信できる状態になるように予期される。ＷＵＲ  ＳＴＡが、自身に個別にアドレス指定されたＷＵＲフレームを受信し損なわないことを確実にするために、ＷＵＲ  ＡＰは、不在グラントの間は、ＷＵＲ  ＳＴＡに個別にアドレス指定されたＷＵＲフレームを、ＷＵＲ  ＳＴＡに割り当てられているＷＵＲチャネルで送信しないことを確実にする必要がある。このようにうまく定義された不在グラント期間を設けることによって、ＷＵＲチャネル切替えに起因する不確実性が低減し、ＷＵＲ  ＡＰは、オン持続時間４３０がＴＷＢＴＴと重なるＷＵＲ  ＳＴＡ（例えば常時オンＷＵＲ  ＳＴＡ）をＷＵＲプライマリチャネル以外のＷＵＲチャネルに割り当て、次いで、ＷＵＲ  ＦＤＭＡ  ＰＰＤＵを使用してそのようなＳＴＡにＷＵＲフレームを送信することが可能になる（ＷＵＲ  ＳＴＡが、ＷＵＲ能力要素８００の中のＷＵＲチャネル切替えサポートフィールド８２０を設定していると仮定している）。
【００２５】
図１１Ａを参照すると、前に述べたように、チャネル切替えマージン９５０および９５２は、ＷＵＲ  ＳＴＡのハードウェア能力に依存することがあり、したがって、ＣＳＧＴを決定するためにチャネル切替えマージン９５０および９５２を考慮する必要がある。特に、チャネル切替えマージンが、ＷＵＲ  ＰＰＤＵの中で運ばれるウェイクアップ信号２２０より大きい場合、ＷＵＲ  ＳＴＡにアドレス指定されたＷＵＲフレームを運ぶＷＵＲ  ＰＰＤＵが時刻１１１０の直前または近くで送信されると、ＷＵＲ  ＳＴＡは、チャネルを切り替えている過程にあることがあるため、ＷＵＲ  ＳＴＡが、自身にアドレス指定されたＷＵＲフレームを完全に受信し損なう可能性がある。このような場合、ＷＵＲ  ＡＰが、ＷＵＲ  ＳＴＡへのＷＵＲ  ＰＰＤＵをスケジューリングするときにチャネル切替えマージン９５０を考慮することが特に重要である。しかしながら、ＩＥＥＥ  ８０２．１１ｂａにおいて定義されている最小の可能なＷＵＲフレームサイズは少なくとも１２８マイクロ秒の長さであるため、適度なハードウェア能力を有するＷＵＲ  ＳＴＡが１００マイクロ秒よりずっと小さいチャネル切替えマージン９５０を有することが予期されることを考えると、ＴＷＢＴＴの近くで送信されたＷＵＲ  ＰＰＤＵをＷＵＲ  ＳＴＡが（完全にまたは部分的に）成功裏に受信して復号できるものと安全に想定することができる。ＷＵＲ  ＳＴＡは、有効なＷＵＲフレームが受信されると、不在グラント１０１０の間に、ＰＣＲモードに切り替えて（すなわち、自身のＰＣＲをアウェイク状態にする一方で自身のＷＵＲｘをドーズ状態にして）、ＷＵＲチャネル切替えを行わないように決定することさえできる。このような想定の下、チャネル切替えマージン９５０は、不在グラント１０１０に明示的に含められる必要はなく、したがって、不在グラント１０１０は、正確にＴＷＢＴＴから始まることができる。これによって計算が単純になるのみならず、チャネル切替えマージンに起因する不確実性が低減する。しかしながら、留意すべき点として、チャネル切替えマージン９５２は、依然として不在グラントの一部として考慮される必要があり、これにより、ＷＵＲ  ＳＴＡには、ＷＵＲビーコンフレーム９３０を受信した後、不在グラント１０１０が終了する前に、自身に割り当てられているＷＵＲチャネルに切り替えるための十分な時間が与えられる。
【００２６】
図１１Ｂを参照すると、常時オンＷＵＲ  ＳＴＡの特殊な場合における提案方法１０００を例示するために、例示的な送信シーケンス１１５０が示されている。図１１Ｂには示されていないが、ＷＵＲ  ＳＴＡ（例えば図１におけるＷＵＲ  ＳＴＡ  １５０）は、初めはＰＣＲモードで動作しており、ＷＵＲモードで動作するために必要なパラメータ（最小ウェイクアップ持続時間、デューティサイクル期間単位、ＷＵＲチャネル、ＷＵＲビーコン期間、ＴＷＢＴＴオフセット、不在持続時間など）を、ＡＰ（例えばＡＰ  １１０）によって送信されたビーコンフレームまたはプローブ応答フレームの中で運ばれるＷＵＲ動作要素６００を通じて、最初に受信する。次いで、ＷＵＲ  ＳＴＡ  １５０は、自身のＷＵＲｘがＷＵＲモードの間は常にアウェイク状態にありドーズモードに移行しない意図（すなわち、ＷＵＲ  ＳＴＡ  １５０は常時オンＷＵＲ  ＳＴＡとして動作する予定であること）を伝えるために、オン持続時間フィールド７７０がデューティサイクル期間フィールド７８０に等しいかまたはそれより大きい長さに設定されているＷＵＲモードセットアップフレーム５１０をＡＰ  １１０に送信することによって、ＷＵＲモードのセットアップを開始する。ＡＰ  １１０は、ＷＵＲモードセットアップ要求を受理する場合、ＷＵＲモード応答ステータスフィールド７２０が受理に設定されているＷＵＲモードセットアップフレーム５２０を、ＷＵＲ  ＳＴＡに送信する。ＡＰ  １１０はまた、ＷＵＲ  ＳＴＡ  １５０をＷＵＲ  ＣＨ２  ９１２に割り当てるためにＷＵＲ  チャネルオフセット７４０を設定し、最初のオン持続時間４３０の開始点４１０を示すためにＷＵＲデューティサイクルの開始時刻フィールド７５０を設定する。ＷＵＲ  ＳＴＡ  １５０が、（例えばデューティサイクル期間単位の不一致に起因して）オン持続時間フィールド７７０をデューティサイクル期間７８０より大きい長さの値に設定していた場合、ＡＰ  １１０は、オン持続時間４３０およびデューティサイクル期間４２０の両方を、デューティサイクル期間７８０の中で示される値に等しいものとみなす。ＷＵＲ  ＳＴＡ  １５０は、フレーム５２０を受信して確認応答すると、自身のＰＣＲをドーズ状態にすることによって、時刻１１６０においてＷＵＲモードに切り替わることができる。これと同時に、ＷＵＲ  ＳＴＡ  １５０は、開始点４１０までにＡＰ  １１０からのＷＵＲフレームを受信できる状態になるように、自身のＷＵＲｘをオンにし、割り当てられているＷＵＲ  ＣＨ２  ９１２にＷＵＲｘをチューニングする。サービスの中断を最小限にするために、ＷＵＲ  ＳＴＡ  １５０は、時刻１１６０を、開始点４１０に極めて近くなるように選択することができる。フレーム５２０が受信された時刻と時刻１１６０との間、ＷＵＲ  ＳＴＡは、ＡＰ  １１０と現在ネゴシエートしているＰＣＲモードで引き続き動作する。ＷＵＲ  ＳＴＡは、省電力に関して懸念している場合、時刻１１６０を、フレーム５２０が受信された時刻にできる限り近くなるように選択することもできる。しかしながら、このことは、時刻１１６０と開始点４１０との間、ＡＰ  １１０がＷＵＲ  ＳＴＡ  １５０と通信できないことを意味しうる（特に、この時間の間、���ＵＲ  ＳＴＡ  １５０が、自身のＷＵＲｘをドーズ状態にしている場合）。時刻４１０において、ＷＵＲ  ＳＴＡは、自身に割り当てられているＷＵＲ  ＣＨ２  ９１２においてＷＵＲｘをアウェイク状態にし、ＡＰ  １１０からのＷＵＲフレームを受信できる状態になる。この例では、すべてのオン持続時間４３０と重なる少なくとも２つのＴＷＢＴＴが存在し、不在グラント１０１０が各ＴＷＢＴＴから始まり、各不在グラントの持続時間は、不在持続時間フィールド６６０によって示される値に等しい。しかしながら、ＷＵＲ  ＳＴＡ  １５０は、自身のクロック精度および同期要件に応じて、すべてのＴＷＢＴＴにおいてＷＵＲビーコン９３０を受信する必要がないことがあり、１つおきのＴＷＢＴＴ  １１７０および１１７２においてＷＵＲビーコン９３０を受信するためにＷＵＲプライマリチャネルに切り替えることを選択するだけであってもよい。それ以外のＴＷＢＴＴにおいて始まる不在グラントの間は、ＷＵＲ  ＳＴＡ  １５０は、不在グラントの持続時間にわたりＷＵＲドーズ状態に遷移することを選択することができる、または、ＷＵＲ  ＳＴＡ  １５０は、単に引き続きＷＵＲｘアウェイク状態にあるように選択することもできる。しかしながら、ＡＰ  １１０は、これらの不在グラントの間は、ＷＵＲ  ＳＴＡ  １５０にアドレス指定されたＷＵＲフレームをＷＵＲ  ＣＨ２  ９１２で送信しない。不在持続時間は、ＴＷＢＴＴを起点として計算されるが、ＷＵＲ  ＳＴＡ  １５０は、自身のＷＵＲｘがＷＵＲビーコンフレーム９３０を受信するのに間に合うようにＷＵＲプライマリチャネルＷＵＲ  ＣＨ１  ９１０をリスンできることを確実にするために、自身のクロックドリフトやチャネル切替えマージンなどを考慮して、少し早くＷＵＲプライマリチャネルに切り替える必要がありうる。ＡＰ  １１０はまた、ＷＵＲ  ＳＴＡ  １５０にアドレス指定されたウェイクアップフレームをＷＵＲ  ＣＨ２  ９１２で運ぶ４０ＭＨｚ  ＷＵＲ  ＦＤＭＡ  ＰＰＤＵ  ３００を、（不在グラント外の時刻において）送信することができる。ＷＵＲ  ＳＴＡ  １５０は、ウェイクアップフレームを受信すると、ＰＣＲモードに切り替えてＡＰ  １１０からのＰＣＲフレーム（存在する場合）を受信し、その後にＷＵＲモードに遷移する。
【００２７】
［第２の実施形態］
図１２は、不在グラントが存在するときのデューティサイクル動作の代替方法１２００を示している。ＷＵＲ動作要素６００を使用して不在持続時間を通知する代わりに、第２の実施形態によれば、ＡＰは、ＷＵＲモードセットアップネゴシエーション５００中に、開始点１２５０を使用して不在持続時間を暗黙的に示す。ここで、留意すべき点として、ＷＵＲモードセットアップフレーム５１０において運ばれるＷＵＲモード要素７００の中のＷＵＲデューティサイクルの開始時刻フィールド７５０のサイズは、８オクテット未満（例えばわずか５オクテット）でありうる。ＡＰは、８０２．１１  ＢＳＳにおいてシステムタイミングを維持するために８オクテット長のＴＳＦを使用するため、このことは、特に現在のタイムスタンプの値、したがって意図される開始点をシグナリングするために５オクテットより多くが必要である場合、開始点１２５０を、ＷＵＲデューティサイクルの開始時刻フィールド７５０によって直接示すことができないことを意味する。このような場合、ＡＰは、代わりに、５オクテットを使用してシグナリングすることができる以前のオン持続時間のうちのいずれか（例えばＴＳＦ  ０に時間的に最も近い一番最初のオン持続時間４３０）の開始時刻をシグナリングすることができる。デューティサイクルは本質的に周期的であり、オン持続時間４３０はデューティサイクル期間４２０ごとに１回繰り返すため、ＷＵＲモードセットアップフレーム５１０が受信される現在のタイムスタンプの値が、ＷＵＲデューティサイクルの開始時刻フィールド７５０によって示される開始点に基づいて、５オクテットの基準を超える場合、ＷＵＲ  ＳＴＡは、意図される開始点１２５０を、現在のＴＳＦ  １２０５に時間的に最も近い次の開始点として計算する必要がある。図１２において、開始点１２５０は、ＷＵＲ  ＳＴＡのＷＵＲモード動作についての最初のオン持続時間１２３０の意図される開始時刻を表す。ＡＰは、開始点１２５０と直前のＴＷＢＴＴ  １２１０との時間差が不在持続時間１２２０を表すように、開始点１２５０を選択することができる。これにより、シグナリングリソースが節約されるのみならず、ＡＰは、例えばチャネル切替えマージンなどの差違を考慮して、異なるＷＵＲ  ＳＴＡについての不在持続時間を、個々にカスタマイズすることが可能になる。
【００２８】
加えて、特に常時オンＷＵＲ  ＳＴＡに関連して、不在グラントが存在するときのデューティサイクル動作のより効率的な管理のために、ＷＵＲモードセットアップネゴシエーション５００中にオン持続時間およびデューティサイクル期間を調整することができる。ＡＰがＷＵＲ  ＳＴＡをＷＵＲプライマリチャネル以外のＷＵＲチャネルに割り当てるときには、ＷＵＲモードセットアップフレーム５１０の中で常時オンＷＵＲ  ＳＴＡによって要求されるオン持続時間フィールド７７０およびデューティサイクル期間フィールド７８０の値にかかわらず、デューティサイクル期間１２４０をＷＵＲビーコン期間６５０に等しいものとして再調整し、一方で、オン持続時間１２３０を、デューティサイクル期間１２４０と不在持続時間１２２０との差として再調整することによって、ＡＰは、ＷＵＲ  ＳＴＡをデューティサイクル型ＷＵＲ  ＳＴＡとして扱うことができる。このようなＷＵＲ  ＳＴＡは、疑似デューティサイクル動作で動作すると称されることがある。不在グラント１０１０は、調整されたオン持続時間１２３０外に位置しているため、この時間の間に、ＷＵＲ  ＳＴＡは、通常のデューティサイクル型ＷＵＲ  ＳＴＡと同じ方法で、ＷＵＲビーコンフレームを受信するために自身のＷＵＲｘをＷＵＲプライマリチャネルに切り替えることができる。ＡＰは、ＷＵＲ  ＳＴＡのオン持続時間外ではＷＵＲ  ＳＴＡにＷＵＲフレームを送信しないため、ＷＵＲ  ＳＴＡを、疑似デューティサイクル動作で動作するデューティサイクル型ＷＵＲ  ＳＴＡとして扱うことによって、ＡＰは、不在グラントを別個に管理する必要がない。常時オンＷＵＲ  ＳＴＡも、ＷＵＲプライマリチャネル以外のＷＵＲチャネルに割り当てられている場合、自身を、疑似デューティサイクル動作で動作するデューティサイクル型ＷＵＲ  ＳＴＡとみなすことができる。
【００２９】
図１３を参照すると、疑似デューティサイクル動作で動作するデューティサイクル型ＷＵＲ  ＳＴＡとして扱われる常時オンＷＵＲ  ＳＴＡという特殊な場合における代替方法１２００を例示するために、例示的な送信シーケンス１３００が示されている。ＷＵＲ  ＳＴＡ  １５０は、常時オンＷＵＲ  ＳＴＡとして動作する自身の意図を伝えるために、オン持続時間フィールド７７０がデューティサイクル期間フィールド７８０に等しいかまたはそれより大きい長さに設定されているＷＵＲモードセットアップフレーム５１０をＡＰ１１０に送信することによって、ＷＵＲモードセットアップを開始する。ＡＰ  １１０は、ＷＵＲモードセットアップ要求を受理する場合、ＷＵＲモード応答ステータスフィールド７２０が受理に設定されているＷＵＲモードセットアップフレーム５２０をＷＵＲ  ＳＴＡに送信する。ＡＰ  １１０はまた、ＷＵＲ  ＳＴＡ  １５０をＷＵＲ  ＣＨ２  ９１２に割り当てるためにＷＵＲチャネルオフセット７４０を設定し、一方で、開始点１２５０を示すために、さらに不在持続時間１２２０を暗黙的にシグナリングするために、ＷＵＲデューティサイクルの開始時刻フィールド７５０を設定する。ＡＰ  １１０は、ＷＵＲ  ＳＴＡ  １５０を、有効なオン持続時間１２３０および有効なデューティサイクル期間１２４０を有する疑似デューティサイクル動作で動作するデューティサイクル型ＷＵＲ  ＳＴＡとして扱う。ＷＵＲ  ＳＴＡ  １５０も、フレーム５２０を受信して確認応答すると、自身を、有効なオン持続時間１２３０および有効なデューティサイクル期間１２４０を有する疑似デューティサイクル動作で動作するデューティサイクルＷＵＲ  ＳＴＡとみなすことができる。ＷＵＲ  ＳＴＡ  １５０は、自身のＰＣＲをドーズ状態にすることによって、時刻１２５０においてＷＵＲモードに切り替わることができる。これと同時に、ＷＵＲ  ＳＴＡ  １５０は、開始点１２５０までにＡＰ  １１０からのＷＵＲフレームを受信できる状態になるように、自身のＷＵＲｘをオンにし、ＷＵＲｘを、割り当てられているＷＵＲ  ＣＨ２  ９１２にチューニングする。この例では、不在グラント１０１０が各ＴＷＢＴＴから始まり、各不在グラントの持続時間が、不在持続時間フィールド１２２０によって示される値に等しい。ＷＵＲ  ＳＴＡ  １５０は、不在グラント１０１０の間に、ＴＷＢＴＴにおいてＷＵＲビーコン９３０を受信するためにＷＵＲプライマリチャネルに切り替えることを選択することができる。
【００３０】
［第３の実施形態］
前に述べたように、ＷＵＲ  ＳＴＡは、自身のクロック精度および同期要件に応じて、すべてのＴＷＢＴＴにおいてＷＵＲビーコン９３０を受信する必要がないことがあり、ＴＷＢＴＴのうちの一部においてＷＵＲビーコンを受信するためにＷＵＲプライマリチャネルに切り替えることを選択するだけでもよい。このことは、すべてのＴＷＢＴＴにおいて不在グラントを設ける必要はないことを意味する。図１４を参照すると、ＷＵＲモードセットアップネゴシエーションにおける代替フレーム交換シーケンス１４００が示されている。ＷＵＲ  ＳＴＡは、自身のクロック精度および同期要件に基づいて、ＷＵＲモードセットアップフレーム５１０の中で、自身がＷＵＲビーコンを受信するためにチャネルを切り替えるように意図する周期にできる限り近いデューティサイクル期間１４２０を示すために、デューティサイクル期間フィールド７８０を設定する。可能であれば、この値は、ＡＰによって通知されるＷＵＲビーコン期間の整数倍とするべきである。しかしながら、単位の違いに起因して、示されるデューティサイクル期間１４２０が、ＷＵＲビーコン期間の正確な整数倍ではないことがある。ＷＵＲ  ＳＴＡはまた、常時オンＷＵＲ  ＳＴＡとして動作する自身の意図を伝えるために、デューティサイクル期間１４２０に等しいかまたはそれより大きいオン持続時間１４１０を示すためにオン持続時間フィールド７７０の値を設定する。ＡＰは、ＷＵＲ  ＳＴＡをＷＵＲプライマリチャネル以外のＷＵＲチャネルに割り当てる場合、デューティサイクル期間１４４０を、ＷＵＲビーコン期間６５０の整数倍でありかつ要求されるデューティサイクル期間１４２０に等しいかまたはそれより小さい最大の値に等しいものとして再調整し、一方で、オン持続時間１４３０を、ＷＵＲモードセットアップフレーム５２０の中の不在持続時間フィールド７６０によって示される不在持続時間とデューティサイクル期間１４４０との差として再調整することによって、ＷＵＲ  ＳＴＡを、疑似デューティサイクル動作で動作するデューティサイクル型ＷＵＲ  ＳＴＡとして扱うことができる。常時オンＷＵＲ  ＳＴＡも、ＷＵＲプライマリチャネル以外のＷＵＲチャネルに割り当てられる場合、自身を疑似デューティサイクル動作で動作するデューティサイクル型ＷＵＲ  ＳＴＡとみなし、有効なオン持続時間１４３０および有効なデューティサイクル期間１４４０を採用する。
【００３１】
第３の実施形態に係る、代替の疑似デューティサイクル動作１５００が、図１５に示されている。ＡＰ  １１０は、意図する開始点４１０を、最も近いＴＷＢＴＴと、ＷＵＲモードセットアップフレーム５２０の中で示される不在持続時間７６０と、の和として示す。この例では、ＷＵＲ  ＳＴＡ  １５０は、デューティサイクル期間１４４０を、ＷＵＲビーコン期間の２倍として要求する。オン持続時間１４３０は、デューティサイクル期間１４４０と不在持続時間７６０との差として再調整される。これにより、ＷＵＲ  ＳＴＡは、不在グラントが発生する頻度を制御することが可能になり、自身がＷＵＲビーコンフレームを受信するように意図していないＴＷＢＴＴにおいてチャネル切替えを実行することをスキップすることが可能になる。図１６を参照すると、疑似デューティサイクル動作で動作するデューティサイクル型ＷＵＲ  ＳＴＡとして扱われる常時オンＷＵＲ  ＳＴＡ  １５０という特殊な場合における代替方法１５００を例示するために、例示的な送信シーケンス１６００が示されている。ＷＵＲ  ＳＴＡ  １５０は、デューティサイクル期間フィールド７８０がＷＵＲビーコン期間の２倍として設定されており、かつ、オン持続時間フィールド７７０が、常時オンＷＵＲ  ＳＴＡとして動作する自身の意図を伝えるために、デューティサイクル期間フィールド７８０に等しいかまたはそれより大きい長さに設定されている、ＷＵＲモードセットアップフレーム５１０をＡＰ  １１０に送信することによって、ＷＵＲモードセットアップを開始する。ＡＰ  １１０は、ＷＵＲモードセットアップ要求を受理する場合、ＷＵＲモード応答ステータスフィールド７２０が受理に設定されているＷＵＲモードセットアップフレーム５２０を、ＷＵＲ  ＳＴＡに送信する。ＡＰ  １１０はまた、ＷＵＲ  ＳＴＡ  １５０をＷＵＲ  ＣＨ２  ９１２に割り当てるためにＷＵＲチャネルオフセット７４０を設定し、不在グラントの持続時間を示すために不在持続時間フィールド７６０を設定する。ＡＰ  １１０は、ＷＵＲ  ＳＴＡ  １５０を、有効なオン持続時間１４３０および有効なデューティサイクル期間１４４０（この場合にはＷＵＲビーコン期間の２倍である要求された値と同じである）を有する疑似デューティサイクル動作で動作するデューティサイクル型ＷＵＲ  ＳＴＡとして扱う。ＷＵＲ  ＳＴＡ  １５０も、フレーム５２０を受信して確認応答すると、自身を、有効なオン持続時間１４３０および有効なデューティサイクル期間１４４０を有する疑似デューティサイクル動作で動作するデューティサイクル型ＷＵＲ  ＳＴＡとみなすことができる。この例では、不在グラント１０１０は、１つおきのＴＷＢＴＴから始まり、各不在グラントの持続時間は、不在持続時間フィールド７６０によって示される値に等しい。ＷＵＲ  ＳＴＡ  １５０は、不在グラント１０１０の間に、ＴＷＢＴＴにおいてＷＵＲビーコン９３０を受信するためにＷＵＲプライマリチャネルに切り替えることを選択することができる。
【００３２】
疑似デューティサイクル動作として動作することによって、常時オンＷＵＲ  ＳＴＡをデューティサイクル型ＷＵＲ  ＳＴＡとして扱うことが可能になるが、これは、常に可能であるわけではない、または、サポートされないことがある。図１７を参照すると、常時オンＷＵＲ  ＳＴＡという特殊な場合における、第３の実施形態に係る代替のデューティサイクル動作１７００が示されている。ここでは、不在グラントは、デューティサイクル期間１４２０の間に発生する最初のＴＷＢＴＴから始まり、デューティサイクル期間の間のそれ以外のＴＷＢＴＴからは始まらないように定義されている。不在グラントは、ＷＵＲ  ＳＴＡに割り当てられているＷＵＲチャネルにおいてＡＰがＷＵＲ  ＳＴＡと通信できない期間を表すため、ＷＵＲ  ＳＴＡは、ＷＵＲモードセットアップネゴシエーション中に自身が要求するデューティサイクル期間１４２０の値を調整することによって、不在グラントが発生する頻度をカスタマイズし、さらに、自身のＷＵＲサービスの中断を最小限にすることができる。ＷＵＲ  ＳＴＡがすべてのＴＷＢＴＴにおいてＷＵＲビーコンフレームを受信するように意図する場合（例えば、ＷＵＲビーコン期間が非常に長い場合）、ＷＵＲ  ＳＴＡは、ＷＵＲモードセットアップフレーム５１０の中のデューティサイクル期間フィールド７８０を、１つのＷＵＲビーコン周期に等しいかまたはそれよりわずかに大きい値に設定することができる。しかしながら、ＷＵＲ  ＳＴＡが、１０個のＴＷＢＴＴごとに１回のみＷＵＲビーコンフレームを受信するように意図する場合（例えば、ＷＵＲビーコン期間が非常に短い場合）、ＷＵＲ  ＳＴＡは、ＷＵＲモードセットアップフレーム５１０の中のデューティサイクル期間フィールド７８０を、１０個のＷＵＲビーコン期間に等しいかまたはそれよりわずかに大きい値に設定することができる。しかしながら、ＢＳＳによっては、ＷＵＲ  ＳＴＡが、デューティサイクル期間のみを調整することによって不在グラントの望ましい周期を正確に伝えることが不可能である場合がある。例えば、ＡＰがデューティサイクル期間単位フィールド６２０を最大の可能な値（例えば、２１８マイクロ秒：２６２ｍｓ）に設定しており、ＷＵＲビーコン期間が小さい（例えば０〜１０ｍｓ）と仮定すると、不在グラントは、２６回のＴＷＢＴＴごとに１回発生するだけである。したがって、ＷＵＲ  ＳＴＡは、不在グラントの望ましい周期を、自身がＷＵＲモードセットアップフレーム５１０に含めるＷＵＲモード要素７００の中の不在グラント周期（Absence Grant Periodicity）フィールド７９０において、示すこともできる。不在グラント周期フィールド７９０は、２つの連続する不在グラントの間のスキップされるＴＷＢＴＴの数を示し、例えば、０は、不在グラントが各ＴＷＢＴＴから始まることを示し、１は、不在グラントが１つおきのＴＷＢＴＴから始まることを示し、２は、不在グラントが３つのＴＷＢＴＴごとに１回発生することを示し、以下同様である。これにより、ＷＵＲ  ＳＴＡは、不在グラントの望ましい周期をより細かく制御することが可能になる。
【００３３】
［第４の実施形態］
図１８を参照すると、オン持続時間４３０の間のＷＵＲチャネル切替えに起因するＷＵＲサービスの中断を回避する代替方法１８００が示されている。前に述べたように、ＷＵＲ  ＳＴＡは、オン持続時間４３０の時間長全体にわたり自身のＷＵＲｘをアウェイク状態にすると予期され、また、ＷＵＲビーコンフレームを受信するためのＷＵＲチャネル切替えに起因して、自身に割り当てられているＷＵＲチャネルにおいて常時オンＷＵＲ  ＳＴＡのＷＵＲｘが利用できない持続時間に存在する不確実性を理由として、ＡＰは、すべての常時オンＷＵＲ  ＳＴＡをＷＵＲプライマリチャネルに割り当てることを選択することができる。これに代えて、ＡＰは、ＷＵＲ  ＳＴＡに、デューティサイクル比が１未満であるデューティサイクル型ＷＵＲ  ＳＴＡとしてＷＵＲモードセットアップを再ネゴシエートするように強制することもできる。このことが、フレーム交換シーケンス１８００に示されている。ＷＵＲ  ＳＴＡは、最初、常時オンＷＵＲ  ＳＴＡとして動作する自身の意図を伝えるために、オン持続時間７７０がデューティサイクル期間７８０に等しいかまたはそれより大きい長さに設定されているＷＵＲモード要素７００を運ぶＷＵＲモードセットアップフレーム５１０をＷＵＲ  ＡＰに送信することによって、ＷＵＲサービスセットアップのネゴシエーションを開始する。ＡＰは、ＷＵＲ  ＳＴＡをＷＵＲプライマリチャネル以外のＷＵＲチャネルに割り当てるように意図している場合、ＷＵＲモード応答ステータス７２０が「拒否−ＦＤＭＡデューティサイクルを有効化（Denied - Enable FDMA Duty Cycle）」７２４に設定されているＷＵＲモードセットアップフレーム１８１０を送信することによって、ＷＵＲモードセットアップ要求を拒否して、ＷＵＲ  ＳＴＡをＷＵＲプライマリチャネル以外のＷＵＲチャネルに割り当てる自身の意図を明示的に伝えることができる。これに代えて、ＡＰは、ＷＵＲモード応答ステータス７２０が「拒否」７２６に設定されており、一方で、ＷＵＲチャネルオフセットフィールド７４０が、ＷＵＲプライマリチャネル以外のＷＵＲチャネルを示す値に設定されている、ＷＵＲモードセットアップフレーム５２０を送信することによって、この意図を暗黙的に伝えることもできる。ここで、ＷＵＲ  ＳＴＡは、デューティサイクル動作で動作することができ、例えばデューティサイクルサポートフィールド８３０を設定することによって、この能力を示していると仮定する。フレーム交換シーケンス１８００には示されていないが、ＡＰが、既存のＷＵＲサービス中に再ネゴシエーションを強制することを選択することも可能である（すなわち、ＷＵＲ  ＳＴＡは、ＷＵＲモードセットアップネゴシエーションをすでに成功裏に完了している）。ＡＰは、理由（Reason）フィールド１８２２が「拒否−ＦＤＭＡデューティサイクルを有効化」に設定されているＷＵＲモードティアダウンアクション（WUR Mode Teardown Action）フレーム１８２０を送信することによって、再ネゴシエーションを強制することができる。ＷＵＲ  ＳＴＡが、ステータスフィールドまたは理由フィールドのいずれかが「拒否−ＦＤＭＡデューティサイクルを有効化」に設定されているフレーム、または、ステータスフィールドが「拒否」７２６に設定されている一方で、ＷＵＲチャネルオフセットフィールド７４０が、ＷＵＲプライマリチャネル以外のＷＵＲチャネルを示す値に設定されているフレームを受信したとき、ＷＵＲ  ＳＴＡをＷＵＲプライマリチャネル以外のＷＵＲチャネルに割り当てるＡＰの意図がＷＵＲ  ＳＴＡに通知される。この場合、ＷＵＲ  ＳＴＡは、オン持続時間４３０がどのＴＷＢＴＴとも重ならないようにオン持続時間７７０がデューティサイクル期間７８０より小さい長さの値に設定されているＷＵＲモードセットアップフレーム５１０を、ＡＰに再送することができる。ＡＰは、デューティサイクル動作で動作するためのＷＵＲ  ＳＴＡの要求を受理する場合、割り当てられるＷＵＲチャネルと最初のオン持続時間４３０の開始点４１０とをＷＵＲ  ＳＴＡに通知するＷＵＲモードセットアップフレーム５２０を、ＷＵＲ  ＳＴＡに送信する。ＷＵＲ  ＳＴＡは、示される開始点４１０において、自身に割り当てられているＷＵＲチャネルにおいてデューティサイクル型ＷＵＲモードに遷移することができる。
【００３４】
［アクセスポイントの構成］
図１９は、本開示において説明されたデューティサイクル方式を実施する例示的なＡＰのＰＣＲ  １９００のブロック図である。ＡＰは、図１におけるＡＰ  １１０であってよい（ＰＣＲ  １９００は、図１におけるＰＣＲ  １１２であってよい）。ＰＣＲ  １９００は、アンテナ１９０２に接続され、８０２．１１信号の送信および受信、ならびにＷＵＲ  ＰＰＤＵの送信に使用される。ＰＣＲ  １９００は、ＲＦ／アナログフロントエンド１９１０、ＰＨＹ処理回路１９２０、およびＭＡＣ処理回路１９３０を含む。
【００３５】
ＲＦ／アナログフロントエンド１９１０は、アンテナ１９０２へのアナログ信号の伝送およびアンテナ１９０２からのアナログ信号の伝送の役割を担い、自動利得制御（ＡＧＣ）、ローパスフィルタ（ＬＰＦ）、アナログ−デジタルコンバータ（ＡＤＣ）などのサブ構成要素を含むことができる。
【００３６】
ＰＨＹ処理回路１９２０は、物理層信号を処理する役割を担い、さらに、ＯＦＤＭ変調器／復調器１９２２、チャネルチューナ１９２４、およびＷＵＲ  ＦＤＭＡモジュール１９２６を含む。ＯＦＤＭ変調器／復調器１９２２は、送信信号をＯＦＤＭ変調する、または、受信したＯＦＤＭ信号を復調する役割を担う。ＯＦＤＭ変調器／復調器１９２２は、送信側では、８０２．１１  ＰＰＤＵにＯＦＤＭ変調を適用する以外に、選択されたＯＦＤＭサブキャリアを配置する（populate）ことによってＷＵＲ信号（例えばＯＯＫ）を生成するためにも使用される。チャネルチューナ１９２４は、送信周波数を、送信または受信用の正しいチャネルに（例えばＰＣＲ信号の送信または受信用のＰＣＲチャネルに、または、ＷＵＲ  ＰＰＤＵの送信用の正しいＷＵＲ動作チャネルに）設定するために使用される。ＷＵＲ  ＦＤＭＡモジュール１９２６は、ＡＰがＦＤＭＡ送信を行うことができる場合に存在し、ＦＤＭＡ送信が用いられるときにＷＵＲ信号を多重するために使用され、さらに、アソシエーションされたＷＵＲ  ＳＴＡのＷＵＲチャネル割り当てを決定するために使用される。
【００３７】
ＭＡＣ処理回路１９３０は、再送、フラグメンテーション、アグリゲーションなど、ＭＡＣに関連するさまざまな処理の役割を担い、さらに、ＷＵＲフレーム生成器１９３２およびＷＵＲデューティサイクルモジュール１９３４を含む。ＷＵＲフレーム生成器／スケジューラ１９３２は、ＡＰによって送信されるＷＵＲ  ＰＰＤＵの中で運ばれるＷＵＲフレームを生成し、正しい時刻に送信するようにこれらのＷＵＲフレームをスケジューリングする役割を担う。ＷＵＲデューティサイクルモジュール１９３４は、アソシエーションされたＷＵＲ  ＳＴＡのデューティサイクルのスケジュールおよびパラメータを管理する役割を担う。ＷＵＲデューティサイクルモジュール１９３４はまた、不在グラントのスケジューリング、および、不在持続時間の計算／シグナリングの役割を担う。
【００３８】
図２０は、例示的なＡＰ  ２０００（図１におけるＡＰ  １１０であってよい）のより詳細なブロック図である。ＡＰ  ２０００は、メモリ２０２０に結合されている中央処理装置（ＣＰＵ）２０３０、補助記憶装置２０４０、１つ以上の無線通信インタフェース２０５０、および他の有線通信インタフェース２０７０を備える。補助記憶装置２０４０は、関連する命令コードやデータなどを永続的に記憶するために使用される、不揮発性のコンピュータ読み取り可能な記憶媒体とすることができる。
【００３９】
ＣＰＵ  ２０３０は、起動されると、実行のために、命令コードおよび関連するデータを揮発性メモリ２０２０にコピーすることができる。命令コードは、ＡＰ  ２０００の動作に必要とされるオペレーティングシステム、ユーザアプリケーション、デバイスドライバ、実行コードなどとすることができる。命令コードのサイズ、したがって、補助記憶装置２０４０およびメモリ２０２０の両方の記憶容量は、図２２におけるＳＴＡ  ２２００の記憶容量よりもはるかに大きくすることができる。
【００４０】
ＡＰ  ２０００はまた、電源２０１０を備えることができ、電源２０１０は、ほとんどの場合には主電源であってよいが、場合によっては何らかの種類の高容量バッテリ（例えば自動車のバッテリ）であってもよい。有線通信インタフェース２０７０は、イーサネット（登録商標）インタフェース、電力線インタフェース、または電話回線インタフェースなどとすることができる。
【００４１】
無線通信インタフェース２０５０は、セルラー通信用のインタフェース、または、Ｚｉｇｂｅｅ（登録商標）などの短距離通信プロトコル用のインタフェースを含むことができる、あるいは、ＷＬＡＮインタフェースとすることができる。無線インタフェース２０５０は、さらに、ＭＡＣモジュール２０５２およびＰＨＹモジュール２０６０を含むことができる。ＡＰのＭＡＣモジュール２０５２は、図２２におけるＳＴＡ  ２２００のＭＡＣモジュールよりもはるかに複雑であり、多くのサブモジュールを含みうる。ＭＡＣモジュール２０５２は、このようなサブモジュールとして特に、ＷＵＲフレーム生成器２０５６、ＰＣＲペイロード生成器２０５４、およびＷＵＲデューティサイクルモジュール２０５８を含むことができる。ＰＨＹモジュール２０６０は、ＭＡＣモジュールデータから送信信号への変換および受信信号からＭＡＣモジュールデータへの変換の役割を担い、さらに、ＯＦＤＭ変調器／復調器２０６２、チャネルチューナ２０６４、ＷＵＲ  ＦＤＭＡモジュール２０６６を含む。無線インタフェースは、ＰＨＹモジュールを介して１つ以上のアンテナ２００２に結合されてよく、１つ以上のアンテナ２００２は、無線媒体で無線通信信号を実際に送信し、無線媒体から無線通信信号を実際に受信する役割を担う。
【００４２】
本開示に係るＡＰは、明瞭さのために図２０に示されていない多数の他の構成要素を備えることができる。本開示に最も関連する構成要素のみが示されている。
【００４３】
［ＳＴＡの構成］
図２１は、２つの別個の無線装置、すなわち、８０２．１１  ＯＦＤＭ信号を送信および受信するＰＣＲ  ２１３０とＷＵＲ  ＰＰＤＵを受信するＷＵＲｘ  ２１１０と、を備えるＷＵＲ  ＳＴＡ  ２１００を示している。ＰＣＲ  ２１３０およびＷＵＲｘ  ２１１０の両方は、同じアンテナ２１０２に接続されることもあるし、または、これらは、異なるアンテナに接続されることもある。
【００４４】
ＷＵＲｘ  ２１１０は、さらに、アンテナ２１０２からアナログ無線信号を受信する役割を担うＲＦ／アナログフロントエンド２１１２、ＷＵＲ  ＰＰＤＵのプリアンブル部分を検出および復号する役割を担うＷＵＲプリアンブル検出モジュール２１１４、ウェイクアップ信号のペイロード部分を復号および処理する役割を担うＷＵＲパケット復号／処理モジュール２１１６、ＷＵＲｘを正しいＷＵＲチャネルにチューニングする役割を担うＷＵＲチャネルチューナ２１２２、ブロードキャストＷＵＲフレームを受信するためにＷＵＲチャネルチューナ２１２２を正しくスケジューリングする役割を担うＷＵＲチャネルスケジューラ２１２４、および、デューティサイクルのスケジュールおよびパラメータを管理する役割を担うＷＵＲデューティサイクルモジュール２１２６など、いくつかのサブ構成要素を含む。ＷＵＲデューティサイクルモジュール２１２６は、不在グラントを追跡して、不在グラントの間にＷＵＲチャネル切替えを開始する役割も担う。
【００４５】
ＰＣＲ  ２１３０は、ＲＦ／アナログフロントエンド２１３２、ＰＨＹ処理回路２１４０、およびＭＡＣ処理回路２１４４を含む。ＲＦ／アナログフロントエンド２１３２は、アンテナ２１０２からのアナログ信号の伝送およびアンテナ２１０２へのアナログ信号の伝送の役割を担い、自動利得制御（ＡＧＣ）、ローパスフィルタ（ＬＰＦ）、アナログ−デジタルコンバータ（ＡＤＣ）などのサブ構成要素を含むことができる。ＰＨＹ処理回路２１４０は、物理層信号を処理する役割を担い、さらに、送信ＯＦＤＭ信号を変調する、または、受信したＯＦＤＭ信号を復調する役割を担うＯＦＤＭ変調器／復調器２１４２を含む。
【００４６】
図２２は、例示的なＳＴＡ  ２２００の詳細なブロック図であり、ＳＴＡ  ２２００は、図１におけるＷＵＲ  ＳＴＡ  １３０、ＷＵＲ  ＳＴＡ  １４０、ＷＵＲ  ＳＴＡ  １５０、またはＷＵＲ  ＳＴＡ  １６０のいずれかであってよい。ＳＴＡ  ２２００は、メモリ２２２０に結合されている中央処理装置（ＣＰＵ）２２３０、補助記憶装置２２４０、ＰＣＲインタフェース２２５０、およびＷＵＲインタフェース２２６０を備える。ＰＣＲインタフェース２２５０およびＷＵＲインタフェース２２６０の両方が、同じ無線アンテナ２２０２に接続される、または、これらは、異なるアンテナに接続されることもある。補助記憶装置２２４０は、関連する命令コードやデータなどを永続的に記憶するために使用される、不揮発性のコンピュータ読み取り可能な記憶媒体とすることができる。
【００４７】
ＣＰＵ  ２２３０は、起動されると、実行のために、命令コードおよび関連するデータを揮発性メモリ２２２０にコピーすることができる。命令コードは、ＳＴＡ  ２２００の動作に必要とされるオペレーティングシステム、ユーザアプリケーション、デバイスドライバ、実行コードなどとすることができる。ＳＴＡ  ２２００はまた、電源２２１０（例えばリチウムイオン電池またはコイン型電池など）を備えることができる、または、電源２２１０は主電源であってもよい。ＰＣＲインタフェース２２５０は、セルラー通信用のインタフェース、または、Ｚｉｇｂｅｅ（登録商標）などの短距離通信プロトコル用のインタフェースを含むことができる、あるいは、ＷＬＡＮインタフェースとすることができる。
【００４８】
ＰＣＲインタフェース２２５０は、ＭＡＣモジュール２２５２およびＰＨＹモジュール２２５４を含み、ＰＨＹモジュール２２５４は、さらに、ＯＦＤＭ変調器／復調器２２５６を含む。
【００４９】
ＷＵＲインタフェース２２６０は、アンテナ２２０２からアナログ無線信号を受信する役割を担うＲＦ／アナログフロントエンド２２６２、ウェイクアップ信号のプリアンブル部分を検出および復号する役割を担うＷＵＲプリアンブル検出モジュール２２６４、ウェイクアップ信号のペイロード部分を復号および処理する役割を担うＷＵＲパケット復号／処理モジュール２２６６、ＷＵＲインタフェースを正しいＷＵＲチャネルにチューニングする役割を担うＷＵＲチャネルチューナ２２６８、ブロードキャストＷＵＲフレームを受信するためにＷＵＲチャネルチューナ２２６８を正しくスケジューリングする役割を担うＷＵＲチャネルスケジューラ２２７０、および、デューティサイクルのスケジュールおよび不在グラントを追跡して、不在グラントの間にＷＵＲチャネル切替えを開始する役割を担うＷＵＲデューティサイクルモジュール２２７２など、いくつかのサブ構成要素を含む。
【００５０】
本開示に係るＷＵＲ  ＳＴＡは、明瞭さのために図２１または図２２に示されていない多数の他の構成要素を備えることができる。本開示に最も関連する構成要素のみが示されている。
【００５１】
本開示は、ソフトウェアによって、ハードウェアによって、またはハードウェアと協働するソフトウェアによって、実現可能である。上述した各実施形態の説明において使用されている各機能ブロックは、その一部または全てを、集積回路などのＬＳＩによって実現可能であり、各実施形態において説明された各プロセスは、その一部または全てを、同じＬＳＩまたはＬＳＩの組み合わせによって制御可能である。ＬＳＩは、チップとして個別に形成可能である、または、機能ブロックの一部または全てを含むように１つのチップを形成することができる。ＬＳＩは、自身に結合されたデータ入出力部を含むことができる。ＬＳＩは、ここでは、集積度の違いに応じて、ＩＣ、システムＬＳＩ、スーパーＬＳＩ、またはウルトラＬＳＩと称されることがある。しかしながら、集積回路を実現する技術は、ＬＳＩに限定されるものではなく、専用回路、汎用プロセッサ、または専用プロセッサを使用することによって実現可能である。さらに、ＬＳＩの製造後にプログラムすることができるＦＰＧＡ（フィールドプログラマブルゲートアレイ）や、ＬＳＩ内部に配置されている回路セルの接続および設定を再設定できるリコンフィギャラブル・プロセッサを使用することもできる。本開示は、デジタル処理またはアナログ処理として実現可能である。
【００５２】
半導体技術または別の派生技術の進歩の結果として、ＬＳＩが将来の集積回路技術に置き換わる場合、その将来の集積回路技術を使用して機能ブロックを集積化することができる。別の可能性は、バイオテクノロジなどの適用である。
【００５３】
本開示は、通信機能を持つあらゆる種類の装置、デバイス、またはシステム（通信装置と総称）によって実現可能である。
【００５４】
通信装置の、非限定的な例としては、電話機（携帯電話、スマートフォンなど）、タブレット、パーソナル・コンピュータ（ＰＣ）（ラップトップ、デスクトップ、ネットブックなど）、カメラ（デジタル・スチル／ビデオ・カメラなど）、デジタル・プレーヤー（デジタル・オーディオ／ビデオ・プレーヤーなど）、着用可能なデバイス（ウェアラブル・カメラ、スマートウオッチ、トラッキングデバイスなど）、ゲーム・コンソール、デジタル・ブック・リーダー、テレヘルス・テレメディシン（遠隔ヘルスケア・メディシン処方）デバイス、通信機能付きの乗り物（自動車、飛行機、船など）、及び上述の各種装置の組み合わせがあげられる。
【００５５】
通信装置は、持ち運び可能または移動可能なものに限定されるものではなく、持ち運びできないまたは固定されている、あらゆる種類の装置、デバイス、またはシステム、例えば、スマート・ホーム・デバイス（家電機器、照明機器、スマートメーター、コントロール・パネルなど）、自動販売機、およびその他ＩｏＴ（Internet of Things）ネットワーク上に存在しうるあらゆる「モノ（things）」をも含む。
【００５６】
通信には、セルラーシステム、無線ＬＡＮシステム、通信衛星システムなどによるデータ通信に加え、これらの組み合わせによるデータ通信も含まれる。
【００５７】
また、通信装置には、本開示に記載される通信機能を実行する通信デバイスに接続または連結される、コントローラやセンサなどのデバイスも含まれる。例えば、通信装置には、通信装置の通信機能を実行する通信デバイスが使用する制御信号やデータ信号を生成するような、コントローラやセンサが含まれる。
【００５８】
また、通信装置には、上記の非限定的な各種装置と通信を行う、あるいはこれら各種装置を制御する、インフラストラクチャ設備、例えば、基地局、アクセスポイント、およびその他あらゆる装置、デバイス、またはシステムが含まれる。
【００５９】
特願２０１８−１６５２５０（出願日：２０１８年９月４日）の開示内容（明細書、図面、および要約書を含む）は、参照によりその全体が本明細書に組み込まれる。
【産業上の利用可能性】
【００６０】
本開示は、デューティサイクルモードで動作するＷＵＲ  ＳＴＡへのＷＵＲ信号のＦＤＭＡ送信の実用的な実施を実現するために、無線装置に適用可能である。
【符号の説明】
【００６１】
１１０，１９００，２０００  ＡＰ
１２０  ＳＴＡ
１３０，１４０，１５０，１６０，２１００，２２００  ＷＵＲ  ＳＴＡ
１１２，１２２，１３２，１４２，１５２，１６２，１９００，２０５０，２１３０，２２５０  ＰＣＲ
１３４，１４４，１５４，１６４，２１１０，２２６０  ＷＵＲｘ
１９０２，２００２，２１０２，２２０２  アンテナ
１９１０，２１１２，２１３２，２２６２  ＲＦ／アナログフロントエンド
１９２０，２０６０，２１４０，２２５４  ＰＨＹ処理回路
１９２２，２０６２，２１４２，２２５６  ＯＦＤＭ変調器／復調器
２１２２，２２６８  ＷＵＲチャネルチューナ
２１２４，２２７０  ＷＵＲチャネルスケジューラ
１９３２，２０５６  ＷＵＲフレーム生成器
１９２４，２０６４  チャネルチューナ
１９３０，２０５２，２１４４，２２５２  ＭＡＣ処理回路
２０５４  ＰＣＲペイロード生成器
２０１０，２２１０  電源
２０２０，２２２０  メモリ
２０３０，２２３０  ＣＰＵ
２０４０，２２４０  補助記憶装置
２０５０  無線インタフェース
２０７０  有線通信インタフェース
２１１４，２２６４  ＷＵＲプリアンブル検出モジュール
２１１６，２２６６  ＷＵＲパケット復号／処理モジュール
【図１】
2021535639.tif 000003
【図２】
2021535639.tif 000004
【図３】
2021535639.tif 000005
【図４】
2021535639.tif 000006
【図５】
2021535639.tif 000007
【図６】
2021535639.tif 000008
【図７】
2021535639.tif 000009
【図８】
2021535639.tif 000010
【図９】
2021535639.tif 000011
【図１０】
2021535639.tif 000012
【図１１Ａ】
2021535639.tif 000013
【図１１Ｂ】
2021535639.tif 000014
【図１２】
2021535639.tif 000015
【図１３】
2021535639.tif 000016
【図１４】
2021535639.tif 000017
【図１５】
2021535639.tif 000018
【図１６】
2021535639.tif 000019
【図１７】
2021535639.tif 000020
【図１８】
2021535639.tif 000021
【図１９】
2021535639.tif 000022
【図２０】
2021535639.tif 000023
【図２１】
2021535639.tif 000024
【図２２】
2021535639.tif 000025
【国際調査報告】
2021535639.tif 000026
2021535639.tif 000027